(57)【要約】【課題】  魚類の養殖には成功を収めた養殖水ではあるが、エビのような甲殻類の種苗生産に利用しても好ましい結果は得られない。ゾエア幼生の発育が遅れ、期待したほどの種苗の収穫量が得られないので、養殖コストは高くついて採算性に難点がある。【解決手段】  養殖水に所定量のストロンチウムやヨウ素、あるいは臭素、またはそれらの幾つかを添加して甲殻類幼生のカルシウム代謝を促進し、脱皮を円滑に進行させて成長を促進し収量を増やす。【選択図】なし【特許請求の範囲】
【請求項１】
ナトリウム、カルシウム、カリウムを水道水や雨水、河川水あるいは地下水に添加してなる飼育水にして、
飼育水の塩分濃度が概ね２ｐｓｕより天然海水の濃度以下、好ましくは１２ｐｓｕ付近の濃度になるよう、これらナトリウム、カルシウム、カリウムを天然海水中の存在比に近似した比率で含有しており、さらに
約１．８９ｐｐｍから７．８０ｐｐｍ以下の濃度のストロンチウムと、
約０．０１４ｐｐｍから０．０５８ｐｐｍ以下の濃度のヨウ素と、
約１６．２４ｐｐｍから６７ｐｐｍ以下の濃度の臭素のうちの、
少なくとも１種類または２種類、あるいは全３種類を含有してなるエビやカニ、シャコ等の甲殻類の種苗養殖に用いる飼育水。
【請求項２】
ナトリウム、カルシウム、カリウム、マグネシウムを水道水や雨水、河川水あるいは地下水に添加してなる飼育水にして、
飼育水の塩分濃度が概ね２ｐｓｕより天然海水の濃度以下、好ましくは１２ｐｓｕ付近の濃度になるよう、これらナトリウム、カルシウム、カリウム、マグネシウムを天然海水中の存在比に近似した比率で含有しており、さらに
約１．８９ｐｐｍから７．８０ｐｐｍ以下の濃度のストロンチウムと、
約０．０１４ｐｐｍから０．０５８ｐｐｍ以下の濃度のヨウ素と、
約１６．２４ｐｐｍから６７ｐｐｍ以下の濃度の臭素のうちの、
少なくとも１種類または２種類、あるいは全３種類を含有してなるエビやカニ、シャコ等の甲殻類の種苗養殖に用いる飼育水。
【請求項３】
ナトリウム、カルシウム、カリウムを水道水や雨水、河川水あるいは地下水に添加してなる飼育水にして、
飼育水に含まれるカルシウムは約０．１００２ｇ／Ｌ以上天然海水中の濃度以下、カリウムは約０．０７０６５ｇ／Ｌ以上天然海水中の濃度以下、残りのナトリウムは溶液の塩分濃度が概ね６ｐｓｕになる濃度から天然海水中の濃度以下、好ましくは１２ｐｓｕ付近の濃度になる量であり、これに加えて
約１．８９ｐｐｍから７．８０ｐｐｍ以下の濃度のストロンチウムと、
約０．０１４ｐｐｍから０．０５８ｐｐｍ以下の濃度のヨウ素と、
約１６．２４ｐｐｍから６７ｐｐｍ以下の濃度の臭素のうちの、
少なくとも１種類または２種類、あるいは全３種類を含有してなる希釈または濃縮して使用可能なエビやカニ、シャコ等の甲殻類の種苗養殖に用いる飼育水。
【請求項４】
ナトリウム、カルシウム、カリウム、マグネシウムを水道水や雨水、河川水あるいは地下水に添加してなる飼育水にして、
飼育水に含まれるカルシウムは約０．１００２ｇ／Ｌ以上天然海水中の濃度以下、カリウムは約０．０７０６５ｇ／Ｌ以上天然海水中の濃度以下、マグネシウムは約０．１２５２５ｇ／Ｌ以上天然海水中の濃度以下、ナトリウムは溶液の塩分濃度が概ね６ｐｓｕになる濃度から天然海水中の濃度以下、好ましくは１２ｐｓｕ付近の濃度になる量であり、これに加えて
約１．８９ｐｐｍから７．８０ｐｐｍ以下の濃度のストロンチウムと、
約０．０１４ｐｐｍから０．０５８ｐｐｍ以下の濃度のヨウ素と、
約１６．２４ｐｐｍから６７ｐｐｍ以下の濃度の臭素のうちの、
少なくとも１種類または２種類、あるいは全３種類を含有してなる希釈または濃縮して使用可能なエビやカニ、シャコ等の甲殻類の種苗養殖に用いる飼育水。
【請求項５】
ナトリウム、カルシウム、カリウムを水道水や雨水、河川水あるいは地下水に添加してなる飼育水にして、
飼育水の塩分濃度が概ね２ｐｓｕ以上天然海水の濃度以下、好ましくは１２ｐｓｕ付近の濃度となるように、これらナトリウム、カルシウム、カリウムを天然海水中の存在比に近似した比率で含有しており、さらに
約１．８９ｐｐｍから７．８０ｐｐｍ以下の濃度のストロンチウムと、
約０．０１４ｐｐｍから０．０５８ｐｐｍ以下の濃度のヨウ素と、
約１６．２４ｐｐｍから６７ｐｐｍ以下の濃度の臭素のうちの、
少なくとも１種類または２種類、あるいは全３種類を含有してなるクルマエビ、バナメイエビやウシエビ（ブラックタイガー）等のポストラーバ稚エビの養殖に用いる飼育水。
【請求項６】
ナトリウム、カルシウム、カリウム、マグネシウムを水道水や雨水、河川水あるいは地下水に添加してなる飼育水にして、
飼育水の塩分濃度が概ね２ｐｓｕ以上天然海水の濃度以下、好ましくは１２ｐｓｕ付近の濃度となるように、これらナトリウム、カルシウム、カリウム、マグネシウムを天然海水中の存在比に近似した比率で含有しており、さらに
約１．８９ｐｐｍから７．８０ｐｐｍ以下の濃度のストロンチウムと、
約０．０１４ｐｐｍから０．０５８ｐｐｍ以下の濃度のヨウ素と、
約１６．２４ｐｐｍから６７ｐｐｍ以下の濃度の臭素のうちの、
少なくとも１種類または２種類、あるいは全３種類を含有してなるクルマエビ、バナメイエビやウシエビ（ブラックタイガー）等のポストラーバ稚エビの養殖に用いる飼育水。
【請求項７】
ナトリウム、カルシウム、カリウムを水道水や雨水、河川水あるいは地下水に添加してなる飼育水にして、
飼育水に含まれるカルシウムは約０．１００２ｇ／Ｌ以上天然海水中の濃度以下、カリウムは約０．０７０６５ｇ／Ｌ以上天然海水中の濃度以下、ナトリウムは溶液の塩分濃度が概ね２ｐｓｕになる濃度から天然海水中の濃度以下、好ましくは１２ｐｓｕ付近の濃度になる量であり、これに加えて
約１．８９ｐｐｍから７．８０ｐｐｍ以下の濃度のストロンチウムと、
約０．０１４ｐｐｍから０．０５８ｐｐｍ以下の濃度のヨウ素と、
約１６．２４ｐｐｍから６７ｐｐｍ以下の濃度の臭素のうちの、
少なくとも１種類または２種類、あるいは全３種類を含有してなる希釈または濃縮して使用可能なクルマエビ、バナメイエビやウシエビ（ブラックタイガー）等のポストラーバ稚エビの養殖に用いる飼育水。
【請求項８】
ナトリウム、カルシウム、カリウム、マグネシウムを水道水や雨水、河川水あるいは地下水に添加してなる飼育水にして、
飼育水に含まれるカルシウムは０．１００２ｇ／Ｌ以上天然海水中の濃度以下、カリウムは０．０７０６５ｇ／Ｌ以上天然海水中の濃度以下、マグネシウムは０．１２５２５ｇ／Ｌ以上天然海水中の濃度以下、ナトリウムは溶液の塩分濃度が２ｐｓｕになる濃度から天然海水中の濃度以下、好ましくは１２ｐｓｕ付近の濃度になる量であり、これに加えて
約１．８９ｐｐｍから７．８０ｐｐｍ以下の濃度のストロンチウムと、
約０．０１４ｐｐｍから０．０５８ｐｐｍ以下の濃度のヨウ素と、
約１６．２４ｐｐｍから６７ｐｐｍ以下の濃度の臭素のうちの、
少なくとも１種類または２種類、あるいは全３種類を含有してなる希釈または濃縮して使用可能なクルマエビ、バナメイエビやウシエビ（ブラックタイガー）等のポストラーバ稚エビの養殖に用いる飼育水。
【請求項９】
塩分濃度が概ね２ｐｓｕ以上で天然海水中の濃度以下、好ましくは１２ｐｓｕ付近の濃度になるよう、ナトリウム、カルシウム、カリウムを天然海水中の存在比に近似した比率で淡水に混入し、これにストロンチウムと、ヨウ素と、臭素のうちの少なくとも１種類または２種類、あるいは全３種類を添加してなる飼育水を用い、
ストロンチウムの濃度は約１．８９ｐｐｍから７．８０ｐｐｍ以下、ヨウ素の濃度は約０．０１４ｐｐｍから０．０５８ｐｐｍ以下、臭素の濃度は約１６．２４ｐｐｍから６７ｐｐｍ以下に維持しながら、この溶液中でエビやカニ、シャコ等の甲殻類の種苗を飼育する養殖方法。
【請求項１０】
塩分濃度が概ね２ｐｓｕ以上で天然海水中の濃度以下、好ましくは１２ｐｓｕ付近の濃度になるよう、ナトリウム、カルシウム、カリウム、マグネシウムを天然海水中の存在比に近似した比率で淡水に混入し、これにストロンチウムと、ヨウ素と、臭素のうちの少なくとも１種類または２種類、あるいは全３種類を添加してなる飼育水を用い、
ストロンチウムの濃度は約１．８９ｐｐｍから７．８０ｐｐｍ以下、ヨウ素の濃度は約０．０１４ｐｐｍから０．０５８ｐｐｍ以下、臭素の濃度は約１６．２４ｐｐｍから６７ｐｐｍ以下に維持しながら、この溶液中でエビやカニ、シャコ等の甲殻類の種苗を飼育する養殖方法。
【請求項１１】
水道水や雨水、河川水あるいは地下水等の淡水中に、
約０．１００２ｇ／Ｌ以上天然海水中の濃度以下のカルシウムと、約０．０７０６５ｇ／Ｌ以上天然海水中の濃度以下のカリウムと、溶液の塩分濃度が概ね６ｐｓｕになる濃度から天然海水中の濃度以下、好ましくは１２ｐｓｕ付近の濃度になる量のナトリウムとを混入し、これにストロンチウムと、ヨウ素と、臭素のうちの少なくとも１種類または２種類、あるいは全３種類を添加して飼育水とし、
ストロンチウムの濃度は約１．８９ｐｐｍから７．８０ｐｐｍ以下、ヨウ素の濃度は約０．０１４ｐｐｍから０．０５８ｐｐｍ以下、臭素の濃度は約１６．２４ｐｐｍから６７ｐｐｍ以下に維持しながらエビやカニ、シャコ等の甲殻類の種苗を飼育する養殖方法。
【請求項１２】
水道水や雨水、河川水あるいは地下水等の淡水中に、
０．１００２ｇ／Ｌ以上天然海水中の濃度以下のカルシウムと、０．０７０６５ｇ／Ｌ以上天然海水中の濃度以下のカリウムと、０．１２５２５ｇ／Ｌ以上天然海水中の濃度以下のマグネシウムと、溶液の塩分濃度が概ね６ｐｓｕになる濃度から天然海水中の濃度以下、好ましくは１２ｐｓｕ付近の濃度になる量のナトリウムとを混入し、これにストロンチウムと、ヨウ素と、臭素のうちの少なくとも１種類または２種類、あるいは全３種類を添加して飼育水とし、
ストロンチウムの濃度は約１．８９ｐｐｍから７．８０ｐｐｍ以下、ヨウ素の濃度は約０．０１４ｐｐｍから０．０５８ｐｐｍ以下、臭素の濃度は約１６．２４ｐｐｍから６７ｐｐｍ以下に維持しながらエビやカニ、シャコ等の甲殻類の種苗を飼育する養殖方法。
【請求項１３】
塩分濃度が概ね２ｐｓｕ以上天然海水の濃度以下、好ましくは１２ｐｓｕ付近の濃度となるように、ナトリウム、カルシウム、カリウムを天然海水中の存在比に近似した比率で淡水に混入し、これにストロンチウムと、ヨウ素と、臭素のうちの少なくとも１種類または２種類、あるいは全３種類を添加して飼育水とし、
ストロンチウムの濃度は約１．８９ｐｐｍから７．８０ｐｐｍ以下、ヨウ素の濃度は約０．０１４ｐｐｍから０．０５８ｐｐｍ以下、臭素の濃度は約１６．２４ｐｐｍから６７ｐｐｍ以下に維持しながら、この溶液中でクルマエビ、バナメイエビやウシエビ（ブラックタイガー）等のポストラーバ稚エビを飼育する養殖方法。
【請求項１４】
塩分濃度が概ね２ｐｓｕ以上天然海水の濃度以下、好ましくは１２ｐｓｕ付近の濃度となるように、ナトリウム、カルシウム、カリウム、マグネシウムを天然海水中の存在比に近似した比率で淡水に混入し、これにストロンチウムと、ヨウ素と、臭素のうちの少なくとも１種類または２種類、あるいは全３種類を添加して飼育水とし、
ストロンチウムの濃度は約１．８９ｐｐｍから７．８０ｐｐｍ以下、ヨウ素の濃度は約０．０１４ｐｐｍから０．０５８ｐｐｍ以下、臭素の濃度は約１６．２４ｐｐｍから６７ｐｐｍ以下に維持しながら、この溶液中でクルマエビ、バナメイエビやウシエビ（ブラックタイガー）等のポストラーバ稚エビを飼育する養殖方法。
【請求項１５】
水道水や雨水、河川水あるいは地下水等の淡水中に、
約０．１００２ｇ／Ｌ以上天然海水中の濃度以下のカルシウムと、約０．０７０６５ｇ／Ｌ以上天然海水中の濃度以下のカリウムと、溶液の塩分濃度が概ね６ｐｓｕになる濃度から天然海水中の濃度以下、好ましくは１２ｐｓｕ付近の濃度になる量のナトリウムとを混入し、これにストロンチウムと、ヨウ素と、臭素のうちの少なくとも１種類または２種類、あるいは全３種類を添加して飼育水とし、
ストロンチウムの濃度は約１．８９ｐｐｍから７．８０ｐｐｍ以下、ヨウ素の濃度は約０．０１４ｐｐｍから０．０５８ｐｐｍ以下、臭素の濃度は約１６．２４ｐｐｍから６７ｐｐｍ以下に維持しながらエビやカニ、シャコ等の甲殻類の種苗を飼育する養殖方法。
【請求項１６】
水道水や雨水、河川水あるいは地下水等の淡水中に、
約０．１００２ｇ／Ｌ以上天然海水中の濃度以下のカルシウムと、約０．０７０６５ｇ／Ｌ以上天然海水中の濃度以下のカリウムと、約０．１２５２５ｇ／Ｌ以上天然海水中の濃度以下のマグネシウムと、溶液の塩分濃度が概ね６ｐｓｕになる濃度から天然海水中の濃度以下、好ましくは１２ｐｓｕ付近の濃度になる量のナトリウムとを混入し、これにストロンチウムと、ヨウ素と、臭素のうちの少なくとも１種類または２種類、あるいは全３種類を添加して飼育水とし、
ストロンチウムの濃度は約１．８９ｐｐｍから７．８０ｐｐｍ以下、ヨウ素の濃度は約０．０１４ｐｐｍから０．０５８ｐｐｍ以下、臭素の濃度は約１６．２４ｐｐｍから６７ｐｐｍ以下に維持しながらエビやカニ、シャコ等の甲殻類の種苗を飼育する養殖方法。
【発明の詳細な説明】
【技術分野】
【０００１】  本発明は、生産性に優れたエビやカニ、シャコ等の甲殻類の種苗養殖水とこの養殖水を用いた種苗の養殖方法、とりわけ、汽水域から海水域までの生育環境を適時に再現し様々に変化させながらエビからカニ、シャコにいたる多種類の甲殻類種苗を選択的に且つ自在に養殖管理でき、種苗を好適に生育させて収量を増やすことのできる廉価な種苗養殖水とこれを用いた種苗の養殖方法に関係している。【０００２】  本明細書で言うところの「種苗」とは、卵の形態から始まり幼生その他の生育過程を経て親と同じ体型をした稚エビや稚ガニとして過ごし、最終的に親エビや親ガニにいたる過程の被養殖対象物を総称したものである。【０００３】  人工的な養殖に関与する期間は、種苗生育の一時期または全過程を通じてのもので連続している必要はない。【０００４】  また、以下の説明にある飼育溶液の「希釈」とは、養殖水に淡水を混入させてする操作を意味するだけでなく、塩分濃度差のある複数の養殖水を混ぜ合わせて最終的に塩分濃度を下げる溶液の扱い方も含む概念である。
【背景技術】
【０００５】  以下、エビ類を例にとり説明する。クルマエビ、バナメイエビ、ブラックタイガー（ウシエビ）等の消費者に馴染みのあるエビ類は天然ものに加えて海岸養殖施設で飼育量産されたものも多く出回っている。養殖エビの飼育原価は、親エビの購入費、餌代や施設運転管理費に加えて、養殖海水の入手費用とその輸送経費、劣化した海水の処理費用等が含まれ固定経費の負担分が大きい。管理面からも細心の注意を払わなければならない養殖用海水は手間のかかる飼育資材だけに、その運用の煩雑さもあいまって施設のランニングコストが嵩み、その結果、養殖産品の市場価格は高価にならざるを得ないのが現状である。【０００６】  したがって、本発明の狙いは、養殖に不可欠とされてきた海水に代わるものとして、人工的に配合した試薬の溶液、顆粒状試薬、粉末状試薬を用い自在に塩分濃度調整を行える低廉な飼育水を提供しようとするものである。
扱いやすく利便性に優れた安価な養殖水を利用できれば、刻一刻と変化する飼育環境にも微妙に適合させられ、しかも所望の濃度と内容の養殖水を養殖手順の時系列に沿って迅速に準備できることになる。【０００７】  こうした養殖水の性能に加えて、本発明の更なる狙いは、希釈海水による種苗飼育に優る収穫量を獲得することにある。
種苗の成長に適した病気に罹りにくい生育環境の中で成長速度を高めて、人工的な養殖水ながら希釈海水によるものより高い種苗収穫量を実現しようとするものである。【０００８】  養殖に要する資材費と運用経費のコストダウンを達成し、養殖性能を向上させることに加えて、本発明によれば、養殖水の用途を広く甲殻類全般に適用できる融通のきく養殖水に仕立てることができる。塩分濃度の即時的（臨機応変かつ迅速）な塩分濃度調整機能を付与することで、飼育困難とされてきたカニ養殖も操作条件は緩和され飼育の難易度を下げることができる。ズワイガニやタラバガニのような養殖困難とされていたものを含めて甲殻類全般の養殖に広く適用できる。【０００９】  淡水に少ない種類の僅かな量の電解質を加えた低コストの飼育水は、本件出願人による革新的な養殖資材として周知である。現在に至るまで様々な水性生物に試験的に使用され、その実績を踏まえ多様な淡水性や海水性の魚種について実用規模での養殖実験が行われてきた。【００１０】  この飼育水（以下、好適環境水という）は多くの有用な性能を備えている。例えば、好適環境水を使用して魚類を飼育すると、体内で浸透圧調整にエネルギーを費やす必要がなくなり、その分のエネルギーを生育に転嫁できるために成長が促進され、飼育期間が短縮され促成養殖が可能となる。このことは、トラフグやニホンウナギの養殖により既に実証されている。【００１１】  しかも、海水性生物にとっては海水由来の病原体が存在しないため、病気の発生が大幅に減少する利点も検証され確認されている。好適環境水を使用した養殖手法を採用すれば、抗生物質のような薬剤の使用を皆無にでき、魚類養殖の出荷量は安定的に増加し売上高も増えて高い利益率が得られる。【００１２】  これまでにヒラメ、キジハタ、シマアジ、クエなど１０種を越える魚種の無投薬での養殖が行われてきており、いずれの品目も卸魚市場に出荷され好評を博している。ちなみに、完全な無投薬で無毒の「岡山理大フグ（岡山理科大学が養殖試験棟で飼育したフグ）」として販売され料理屋で食されているフグ「刺身」は、事故例が後を絶たない天然漁獲フグの食習慣の歴史を塗り替える話題の食材として注目され魚愛好家達の話題をさらっている。【００１３】  好適環境水による養殖魚は市場関係者からも見栄えと味については申し分なしとする評価を得て、既に商業規模での試験生産に移行し着々と実績を積んで今日に至っている。市場性に富む魚種を選択的に大量生産できる優れたビジネスモデルとして高い評価がされ、また食の安全を担保できる魚養殖は消費者からの期待も大きい。【００１４】  本件出願人による好適環境水の代表的なものは、カルシウム、カリウム、ナトリウムの塩化物を水道水や雨水、河川水あるいは地下水に添加して作られている。現状の商業規模養殖では、好適環境水に含まれるカルシウム、カリウム、ナトリウム等のそれぞれの濃度は天然海水中の濃度を大きく下回り、塩分量はごく少量ですむため養殖水費用は安くすみ、管理も容易なので養殖施設の運用コストは大幅に節減できる。数千トンから数万トンの大型の水槽施設では、甚だしい量の塩化物材料が不要となり著しいコストダウンが図られるので事業の収益性に大きく貢献す���ことができる。【００１５】  本件出願人が使用してきた従来の好適環境水には幾つかの形態がある。そのうちのある形態によれば、好適環境水は、ナトリウム、カルシウム、カリウムの塩化物を水道水や雨水、河川水あるいは地下水に添加して作られた水溶液にして、比重は１．００４以上で溶液に含まれるナトリウム、カルシウム、カリウムのそれぞれの濃度が天然海水中の濃度以下となるように、これらナトリウム、カルシウム、カリウムを天然海水中の存在比と同じ比率で含有している魚類等の海水性生物の人工飼育に用いる飼育水である。【００１６】  好適環境水は、他の形態によれば、ナトリウム、カルシウム、カリウムの塩化物を水道水や雨水、河川水あるいは地下水に添加してなる水溶液にして、カルシウムが０．１００２ｇ／Ｌ以上天然海水中の濃度以下、カリウムが０．０９４１９ｇ／Ｌ以上天然海水中の濃度以下、ナトリウムは水溶液の比重が１．００４以上になる濃度から天然海水中の濃度以下となる範囲で含有している魚類等の海水性生物の人工飼育に用いる飼育水である。【００１７】  好適環境水は、別の形態によれば、ナトリウム、カルシウム、カリウムの塩化物を水道水や雨水、河川水あるいは地下水に添加し、水中にカルシウムを０．１００２ｇ／Ｌ以上天然海水中の濃度以下、カリウムを０．０９４１９ｇ／Ｌ以上天然海水中の濃度以下、残りのナトリウムは水溶液の比重が１．００４になる濃度であるような水溶液乃至は、この水溶液の前記成分量を０．２５倍まで薄めてなるフグ類の人口飼育に用いる飼育水である。【００１８】  好適環境水は、その他の形態によれば、ナトリウム、カルシウム、カリウムの塩化物を水道水や雨水、河川水あるいは地下水に添加してなり、塩化ナトリウム７．０５８７ｇ／Ｌ、塩化カルシウム２水和塩０．３６４１ｇ／Ｌ、塩化カリウム０．１８１２５ｇ／Ｌを溶解させて得られる略１．００４の比重の水溶液の濃度から、塩化ナトリウム１．７８１ｇ／Ｌ、塩化カルシウム２水和塩０．０９２ｇ／Ｌ、塩化カリウム０．０４５ｇ／Ｌを溶解させた時の水溶液の濃度の範囲で用いられるフグ類の人口飼育に用いる飼育水である。【００１９】  ナトリウム、カルシウム、カリウムに加えて、マグネシウムを予め添加しておくかどうかは選択的である。マグネシウムは水槽内の藻類のクロロフィルとして養殖槽の底や壁面に、また浮遊物として比較的多量に存在している。水槽内環境からマグネシウムを摂取できないか不充分であるとするなら、マグネシウムは必須の添加試薬として扱われる。マグネシウム塩化物を追加的に水槽内に投入する等の操作を含めて、マグネシウムの取扱いについては養殖水槽の槽内環境に合わせての選択事項である。【００２０】  マグネシウムを事前に添加しておく場合、好適環境水は、溶液の比重が少なくとも１．００４以上となる条件のもとで、溶液に含まれるカルシウム、カリウム、ナトリウム、マグネシウムのそれぞれの濃度が天然海水中の濃度以下となるように、これらカルシウム、カリウム、ナトリウム、マグネシウムを天然海水中の存在比と同じ比率で含有させておくことができる。【００２１】  また、マグネシウムを事前に添加しておく場合、好適環境水には、カルシウムが０．１００２ｇ／Ｌ以上天��海水中の濃度以下、カリウムが０．０９４１９ｇ／Ｌ以上天然海水中の濃度以下、マグネシウムが０．１６７ｇ／Ｌ以上天然海水中の濃度以下、ナトリウムは水溶液の比重が１．００４以上になる濃度から天然海水中の濃度以下となる範囲で含有させておくことができる。【００２２】  あるいは、マグネシウムを事前に添加しておく場合、ナトリウム、カルシウム、カリウム、マグネシウムの塩化物を水道水や雨水、河川水あるいは地下水に添加し、水中にカルシウムを０．１００２ｇ／Ｌ以上天然海水中の濃度以下、カリウムを０．０９４１９ｇ／Ｌ以上天然海水中の濃度以下、マグネシウムを０．１６７ｇ／Ｌ以上天然海水中の濃度以下、残りのナトリウムは水溶液の比重が１．００４になる濃度であるような水溶液乃至は、この水溶液の前記成分量を０．２５倍まで薄めてなる飼育水として仕立てておくことができる。【００２３】  なお、本明細書でいうところの溶液の比重とは、ボーメ比重計（赤沼式比重計ＪＩＳ規格Ｂ７５７２）で測定される養殖水温下での水槽内の実測値である。天然海水とは、厳密には養殖エビ類原産地付近の海域の海水を指している。この天然海水の「天然」とは「人工海水」の「人工」に対する識別の用語として用いている。天然海水中のカルシウムと、カリウムと、ナトリウムのイオン濃度は概ね０．４１２ｇ／ｋｇ、０．３９９ｇ／ｋｇ、１０．７５ｇ／ｋｇが参考値である。これらイオン値の相対的な比率は存在比を表わし、具体的には、０．４１２：０．３９９：１０．７５の比率ということになる。【００２４】  局所水域ごとの濃度管理ではボーメ比重計による手法が手慣れているため多くの者がこの手法を汎用しているが、明細書の以下の説明では、溶液中の塩分濃度の表示法として、比重の記載に代えて電気伝導度の比率から求めるｐｓｕ（実用塩分単位：ｐｒａｃｔｉｃａｌ  ｓａｌｉｎｉｔｙ  ｕｎｉｔ）を使用することとする。【００２５】  以下の説明では、標準的な天然海水の塩分濃度は概ね３３ｐｓｕ付近にあるものとした。【００２６】  先に説明にある「好適環境水」の比重下限域１．００４は概ね６ｐｓｕに相当する扱いとしているが、実際には５ｐｓｕを基点にこれを監視数値として希釈側と濃縮側に跨って管理運用する方法がより実際的である。また、水溶液成分量を０．２５倍に薄めた飼育液は１．５ｐｓｕとなるが、安全性を重視した現場での運用実績からはこの飼育濃度下限域は概ね２ｐｓｕとみなしている。
【先行技術文献】
【特許文献】
【００２７】
【特許文献１】  特許５０６２５５０号
【特許文献２】  特許５４８７３７８号
【発明の概要】
【発明が解決しようとする課題】
【００２８】  魚類の養殖には成功を収めた好適環境水ではあるが、残念なことに、エビのような甲殻類の種苗生産に利用しても好ましい結果は得られていない。好適環境水を使用してエビ類の飼育をおこなったところ、希釈海水による飼育よりも種苗の収穫量は大幅に減少する結果となった。ゾエア幼生の発育が遅れ、期待したほどの種苗の収穫量が得られないため、養殖コストは高くついて採算性に難点がある。好適環境水の持つ本来のメリットはエビ類の種苗生産に生かせないでいる。【００２９】  好適環境水の特徴である材料費と運転管理費のコストダウン、良好な衛生環境下での飼育、養殖期間の短縮といった魚類に対する優れた優位性を活かしながら、水質をエビやカニ等の甲殻類の種苗養殖に適応させ種苗の生産性を高めるかが本発明の課題である。【００３０】  好適環境水を用いた養殖試験結果と、希釈海水による養殖試験結果を比較することで本発明が解決しようとする課題について詳細に説明する。【００３１】  好適環境水は養殖する対象物の生理的な特徴を考慮に入れて成分の配合設計がされる。
溶液の取扱いに際し、淡水で希釈すれば溶液濃度は低下し個々の成分の濃度も一律に低下する。試薬を単品で追加投入すればその成分濃度を単独で補正することができるので、成分相互の濃度比率は変化する。希釈と濃縮の操作が加われば個々の塩分濃度の時限的時期的な管理が可能になり、濃度の下限域は生育状況の時節に合わせて調整することができる。この成分調整は種苗の生育状態をモニターしながら逐次的に行なわれるが、種苗の日齢に歩調を合わせてする濃度補正や飼育水槽相互の濃度調整のような作業形態がある。【００３２】  比較対象とされる好適環境水の配合組成については、例えば以下のようなものが考えられる。具体的には、
概ね０．１００２乃至０．２２５ｇ／Ｌの下限域以上天然海水中の濃度以下のカルシウムと、概ね０．０９４１９乃至０．０７０６５ｇ／Ｌの下限域以上天然海水中の濃度以下のカリウムと、溶液の塩分濃度が６ｐｓｕになる濃度から天然海水中の濃度以下となるナトリウムからなる溶液、もしくは、【００３３】  概ね０．１００２乃至０．２２５ｇ／Ｌの下限域以上天然海水中の濃度以下のカルシウムと、概ね０．０９４１９乃至０．０７０６５ｇ／Ｌの下限域以上天然海水中の濃度以下のカリウムと、概ね０．１６７乃至０．１２５２５ｇ／Ｌの下限域以上天然海水中の濃度以下のマグネシウムと、溶液の塩分濃度が６ｐｓｕになる濃度から天然海水中の濃度以下となるナトリウムからなる溶液である。【００３４】  カルシウム濃度０．１００２ｇ／Ｌは好適環境水の下限域の濃度である。養殖する対象物の生理的な特徴に見合う下限域の量とした。カルシウム摂取量の多いものの下限域は約２倍増量の０．２２５ｇ／Ｌとしたが、こうした濃度領域は溶液を準備する段階での濃度であるから、希釈操作により必要な濃度に調整され使用される前段階での濃度である。【００３５】  濃度６ｐｓｕの溶液は淡水で３倍に希釈すれば２ｐｓｕ濃度の溶液が得られ、１２ｐｓｕで準備した溶液であれば２倍の希釈により６ｐｓｕの溶液に速やかに改質することができる。【００３６】  以下の飼育方法の説明からも明らかなように、種苗の飼育段階を長いスパンで見れば、各成分は低い濃度から高い濃度の領域の選択された範囲内で変化させながら使用され一定していないことが多い。【００３７】  この成分濃度の調整が自在に行えることは好適環境水ならではの特色である。【００３８】  比較試験に用いた好適環境について、多くの海水性生物に適用してきた多様な配合比の中でも脱皮する品種についてはカルシウムの配合比を高めに設定したものを用意し希釈海水との比較実験に使用した。【００３９】  甲殻類用の好適環境水には、ナトリウム塩の素材として、例えば、無水試薬の塩化物であるナトリウム１０．６３ｇ／Ｌ、カルシウム塩の素材として、例えば、塩化カルシウム２水和塩１．３１ｇ／Ｌ、カリウム塩の素材として、例えば、塩化カリウム０．２７１ｇ／Ｌ、マグネシウム塩の素材として、例えば、硫酸マグネシウム１．２７ｇ／Ｌが使われている。【００４０】  その結果、好適環境水の溶液中には、養殖水温の下でナトリウム４．１６２ｇ／Ｌ、カルシウム０．４５ｇ／Ｌ、カリウム０．１４１ｇ／Ｌ、マグネシウム０．２５１ｇ／Ｌが溶存し、塩分濃度は１２ｐｓｕの溶液に調整されている。【００４１】  説明の便宜上、飼育対象にはオニテナガエビを選定し、１２ｐｓｕの溶液を幼生飼育時期の好適環境水として取り扱うこととする。【００４２】  表記成分組成の１２ｐｓｕ溶液は、親エビの抱卵時の低濃度から始まり、ゾエア幼生、ポストラーバ、稚エビの生育環境に合わせて適宜に塩分濃度は希釈側に調整され、また必要に応じて濃縮側に加工される。【００４３】  淡水を追加すれば任意の濃度まで希釈することは容易であるが、いったん希釈し増量した飼育水を濃縮していくには以前にも増して多量の塩化物を使用しなければならなくなることがあるので、養殖規模が大きくなければ塩分��度の異なる複数の養殖水槽を使い分けたほうが実際に即したやり方である。【００４４】  養殖規模が大型化するにつれて、その都度の飼育水の製造や塩分濃度の変更は手間のかかる作業となっていく。したがって、現場作業では濃度を高める操作を前提として予め低めの濃度の溶液を準備しておき、必要に応じてその都度、塩化物を適量混入しながら飼育水の塩分濃度を漸増させていく方法を採るか、あるいは希釈使用を前提として予め高めの濃度の溶液を準備しておくことの選択肢も考慮される。【００４５】  種苗の種類により生育段階ごとに適当とされる塩分濃度に設定するとして、その濃度は淡水の濃度領域から天然海水の濃度以下の範囲内で適宜調整され品種固有の濃度範囲で使い分けられる。種苗の晒される溶液の濃度範囲は広く、淡水に近い２ｐｓｕの時期もある。通常では濃度の上限は天然海水の濃度以下の領域にある。【００４６】
2017060459.tif 000002
【００４７】  表記１２ｐｓｕ好適環境水を用いてした養殖試験結果と、同じ１２ｐｓｕの希釈海水による養殖試験結果を比較したものが以下の表１に示されている。
比較試験に供した甲殻類のオニテナガエビは幼生の飼育管理が特に難しいとされる品種である。この比較実験は、ふ化後の初期幼生が段階的な成長ステージを経て形態変化していき、最終的にポストラーバへと生育していく過程を比較検証し、希釈海水に対する好適環境水の成果の優劣を数値化している。【００４８】
【表１】
2017060459.tif 000003
【００４９】  実験用ゾエア幼生を採取するためのオニテナガエビの抱卵親エビは、カンボジア国プレイベン州（Ｓｔａｔｅ  ｏｆ  Ｐｒｅｙ  Ｖｅｎｇ）バティ（Ｂａｔｉ）にて捕獲したものを使用した。
前記好適環境水と比較する天然海水は、カンボジア国南部の港湾都市シアヌークビル（Ｓｉｈａｎｏｕｋｖｉｌｌｅ）に近いタイランド湾（Ｇｕｌｆ  ｏｆ  Ｔｈａｉｌａｎｄ）海域から採取した。【００５０】  天然の希釈海水と好適環境水の比較試験は、両者のｐｓｕ塩分濃度、水槽容量、飼育手順、収容密度、飼育期間、給餌についてすべて同一の条件下で実施した。飼育水の水質については閉鎖循環ろ過システムを通過させながらモニタリングがされ、飼育環境が常に一定に保たれるように監視した。【００５１】  水質の管理は、水温２８〜３１℃、ＤＯ５．５ｍｇ／ｌ以上、ｐＨ７．００以上、総アンモニア１ｍｇ／ｌ以下、亜硝酸１ｍｇ／ｌ以下を基準とした。【００５２】  実験の遂行にあたり、好適環境水と希釈海水の養殖性能試験は以下のようにして行われた。
先ず、抱卵親エビを入手し淡水中で飼育することから始められる。
日々の飼育で抱卵色を観察し、卵が褐色に変化し眼点を持つようになった段階で親エビは６ｐｓｕの希釈海水の水槽に移しかえられる。この６ｐｓｕの希釈海水中で抱卵親エビからふ化したゾエア尾数を容積法により算出し、１２，０００尾ずつを１２ｐｓｕの好適環境水の水槽と１２ｐｓｕの希釈海水の水槽に収容し、それぞれを一定期間飼育して最終的に収穫できたポストラ―バ（稚エビ）の総数を生残率として算出した。【００５３】  養殖日数については、ゾエアの成長段階を同定し変態ステージを確定しながらポストラ―バ取り上げの収穫時期を決定した。最終的には、ふ化ゾエアの収容日は日齢０日とし、成長段階を把握しながら日齢３２日目をポストラ―バの収穫日とした。発育遅れによりポストラ―バまで成長できなかった残存するゾエア数もカウントされている。ポストラーバの尾数と残留するゾエアの数を１２，０００尾から差し引けば死んだり共食いにあって喪失したゾエア数が求められる。【００５４】  好適環境水でゾエア幼生を飼育した場合、３２日飼育期間を経て１２，０００尾のゾエアはその１１．９％の１，４２４尾がポストラ―バにまで生育したものの１，７７２尾が未成熟のゾエア幼生のまま取り残され、ポストラ―バと発育遅れのゾエアが混在した状態で生存している。【００５５】  希釈海水の場合、３２日飼育期間を経て１２，０００尾のゾエアはその３１．６％に相当する３，７９１尾がポストラ―バに生育し、４２０尾が残留する結果となった。【００５６】  好適環境水による養殖実験の成果は、汎用されてきた希釈海水の持つ養殖能力に比べて甚だしく劣っている。
２倍近いポストラ―バ収量の差は好適環境水が未だ実用段階に達していないことを示唆しており、同種の骨格構造を持つ他の甲殻類でも同様の結果になることが想定される。【００５７】  結論として、甲殻類の養殖において、前述した好適環境水を希釈海水の代替品とすることはできない。
好適環境水の持つ本来の優位性を活かしつつ収穫量を増やし採算性に富む養殖を実現しようとするならば、従来の好適環境水にさらなる改良を加える必要がある。
【課題を解決するための手段】
【００５８】  好適環境水の性能改善の課題を解決するために、本件出願人は、甲殻類の生育に資する成分であり追加的に添加すべき新たな要素が存在するのではないかと考え、好適環境水との併用により生育環境に大きく関与する不可欠の成分について探索し評価してきた。【００５９】  その結果、好適環境水との併用で種苗の生育に顕著な好影響を与える成分としてストロンチウム、ヨウ素、そして臭素を発見するにいたったものである。ストロンチウムとヨウ素については、それらの単独使用による養殖の成果がそれぞれに特別顕著に認められ、好適環境水の有用性を際立つものにできる。添加要素である臭素についても、その使用結果については、ストロンチウムそしてヨウ素それぞれによる成果と同等の結果が得られている。【００６０】  表２は、表１に示す１２ｐｓｕ好適環境水の養殖試験結果と、新たな添加要素のストロンチウムを加えた時の１２ｐｓｕ好適環境水（以下、ストロンチウム添加好適環境水という）による養殖試験結果とを比較したものである。【００６１】  ストロンチウムの添加量は概ね１．８９ｐｐｍ付近から７．８０ｐｐｍの範囲で良好な成果の得られることが判明した。溶液中のストロンチウム濃度は好適環境水の希釈により低下するので、必要に応じ滴定管理するなどしてこの必要量を確保するようにされる。【００６２】  この比較実験により注目すべき結果が得られている。
【表２】
2017060459.tif 000004
【００６３】  この表２の比較実験は、表１の比較実験および以下に表示する表３の比較実験と同時並行して行われている。実験対象の種苗品種はすべて同じもので、抱卵親エビの採取エリア、塩分濃度、水量、飼育方式、収容密度、水質の管理基準、飼育期間についても表１、表２、表３は同一の条件下で実施した。【００６４】  表２からは、ストロンチウム添加好適環境水で飼育した場合、３２日飼育期間を経て１２，０００尾のゾエアはその３６．４％に相当する４，３７０尾がポストラ―バまで生育し、１３９尾のゾエアが残留した結果となった。【００６５】  この、飼育成果は、１１．９％の１，４２４尾がポストラ―バにまで生育したものの半数以上の１，７７２尾が発育遅れのゾエアのまま取り残された好適環境水に比べて格段に改善されている。【００６６】  さらに注目すべき点は、ストロンチウム添加好適環境水による収穫量は希釈海水を使用した場合の収穫量をも上回る結果となったことである。
ストロンチウム添加好適環境水の養殖能力は、従来の好適環境水はもとより希釈海水を使用した場合よりも勝っている。【００６７】  以下の表３は、ストロンチウム添加好適環境水を用いての養殖試験結果と、新たな添加要素であるヨウ素を加えた時の１２ｐｓｕ好適環境水（以下、ヨウ素添加好適環境水という）による養殖試験結果とを比較したものである。【００６８】  養殖の成果については、表１の希釈海水と好適環境水、表２の好適環境水とストロンチウム添加好適環境水、表３のストロンチウム添加好適環境水とヨウ素添加好適環境水のいずれも共通の基準のもとで同時期に実測が行われた。【００６９】  この比較実験は、ふ化後の初期幼生が段階的な成長ステージを経て形態変化していき、最終的にポストラーバへと生育していく過程を比較検証し、ストロンチウム添加好適環境水に対するヨウ素添加好適環境水の飼育成果を数値化している。【００７０】  ただし、この表３は２種類の添加要素の効能についての相対的な試験結果を明らかにしたものであり、両者の絶対的優劣を示すものではない。【００７１】
【表３】
2017060459.tif 000005
【００７２】  ヨウ素の添加量は０．０１４ｐｐｍ付近から０．０５８ｐｐｍの範囲で良好な育成成果の得られることが判明した。溶液中のヨウ素濃度は好適環境水の希釈により低下するので、必要に応じて滴定管理するなどしてこの必要量を確保するようにされる。【００７３】  なお、臭素の添加量については１６．２４ｐｐｍ付近から６７ｐｐｍの範囲でストロンチウムや臭素と同程度の良好な育成成果の得られることが判明している。溶液中のヨウ素濃度は好適環境水の希釈により低下するので、必要に応じて滴定管理するなどしてこの必要量を確保するようにされる。臭素のついては、使用する試薬量が他の２種に比べ試薬袋の嵩の大きくなることが現場作業において留意する点である。【００７４】  比較実験からは注目すべき結果が得られている。
ヨウ素添加好適環境水で飼育した場合、３２日飼育期間を経て１２，０００尾のゾエアはその３９．３％にあたる４，７１４尾がポストラ―バまで生育し、発育遅れの状態で残留したゾエアは０尾の結果となった。
その成果は、ストロンチウム添加好適環境水による養殖成果を上まっている。【００７５】  ポストラ―バの標準体長は、額角と尾肢を含まない窩後縁から尾節の後端までの長さを測定し、その標準偏差により求めた。
好適環境水、希釈海水、ストロンチウム添加好適環境水、ヨウ素添加好適環境水によるポストラ―バの標準体長は、それぞれ８．２ｍｍ、８．６ｍｍ、８．８ｍｍ、９．２ｍｍとなり、飼育環境の適正化を見てとることができる。【００７６】  これらの試験結果は、ストロンチウム添加好適環境水、ヨウ素添加好適環境水、そして臭素添加好適環境水の利用により甲殻類に対する養殖能力が飛躍的に高まり、従来の好適環境水の収穫量の劣る欠点を抜本的に解消する具体的な解決手段となり得ることを明らかにしている。【００７７】  新たに発見した選択的な添加要素のストロンチウムとヨウ素そして臭素は飼育種に見合うように組み合わせて用いられる。【００７８】  従来の好適環境水の特色を生かした上で、新たな極く微量の添加物で画期的な性能の補強を行ない、好適環境水を革新的な飼育水に仕立て従来の課題を解決したものである。
【発明の効果】
【００７９】  本発明の種苗飼育水は、本件発明者による従来の好適環境水に極く微量の成分を加えることで好適環境水は顕著に改善され、好適環境水の性能を大きく上回る種苗生産量を獲得することができる。これに要する費用は非常に安価ですむので、その経済効果は圧倒的である。好適環境水の特徴である病気の発生リスクを最小限に抑えることのできる性能は従来と変わりなく、種苗の飼育環境を高密度で行うことができる。生育に好影響を与える重要な成分が添加されたことで理想的な生理的生育環境を維持できることになり、生産量は増加し安定した収量を獲得できる利点がある。【００８０】  養殖施設の立地に地理的な制約はなく、海水を利用しないため内陸のどこにでもエビやカニ等の甲殻類の養殖施設を設営することができる。大規模なエビカニ養殖施設を内陸地帯はもとより山間部であっても運営することに支障はなく、高付加価値養殖による過疎地域の活性化に資するところが大きい。
【発明を実施するための形態】
【００８１】  以下、様々な生息域をもつエビやカニ等の甲殻類の中でも、特に、幼生期など一生の一時期を汽水域で過ごす種類のエビを例にとり本発明の実施の形態について詳細に説明する。
【００８２】  この種のエビの中でも、特に飼育が難しいとされるものにオニテナガエビがある。
オニテナガエビは、東南アジアの熱帯から亜熱帯にかけて分布し、海岸付近の水域、河川、湖沼、用水路、稲田等の淡水域に生息する体長が３０センチ程度になる淡水性の大型のエビである。種苗生育環境の管理に手間がかかり養殖経費が嵩むため人工養殖による生産量は未だに少なく、市場では希少価値のあるエビとして扱われている。
【００８３】  オニテナガエビの生態について説明する。
親エビは淡水環境の中で生存し、産卵は淡水中で行われる。産卵された卵は産み落とされることはなく、腹部の腹肢に付着して保持され、卵は親と一緒に移動して環境を変えていく。
排卵期間中に雌エビは河口域に向けて川を下り、塩分を含む汽水域へと移動していく。汽水域で卵はふ化し幼生が塩水中に放出される。放卵を終えた親エビは汽水域に幼生を残し淡水域へと戻っていく。
塩水中に放出された幼生は、親エビの抱卵期間中にすでに頭部、胸部、腹部が分化しノンプリウスの初期形態を終えていてゾエアまで成長している。ふ化したゾエア幼生はプランクトンタイプの各ステージを経てポストラーバへと生育していく。
ポストラ―バ稚エビの生育環境は淡水である。個体は淡水域へと川を遡上し、淡水の中で変態しながら親エビへと成長していく。
【００８４】  自然界における親エビの移動行動に合わせて必要濃度の塩水を人為的に作り出し疑似的に生育環境を再現するのが人工養殖のやり様である。この養殖の手法に用いる飼育水が本発明のストロンチウム添加好適環境水、ヨウ素添加好適環境水、また臭素添加好適環境水であり、あるいはストロンチウムと、ヨウ素と、臭素の３種またはそのうちの２種を添加した好適環境水である。
【００８５】  説明の便宜上、以後の説明ではこれらストロンチウム添加好適環境水、ヨウ素添加好適環境水、臭素添加好適環境水、そしてストロンチウム、ヨウ素、臭素添加の３種またはそのうちの組合わせの２種を添加した好適環境水のことを単に添加環境水と呼ぶこととする。
【００８６】  養殖を開始するにあたり、入手した抱卵親エビは淡水中で飼育される。この初期段階で、淡水中にストロンチウム、ヨウ素、臭素を添加しておくことができる。この時のストロンチウム、ヨウ素、臭素の添加量は、養殖対象品種にとって最適な量とされる。
【００８７】  食卵行動が起きないように給餌しながら飼育する過程で卵の色は徐々に褐色に色付づいていく。卵に眼点が見えるようになった段階で個体の飼育水は６ｐｓｕ塩分濃度の添加環境水とされ、より高い塩水の濃度に向けての慣らし飼育がされる。この６ｐｓｕ塩分濃度の添加環境水は１２ｐｓｕ塩分濃度の添加環境水のほぼ２分の１塩分濃度の溶液に相当している。この溶液が１２ｐｓｕ塩分濃度の添加環境水の希釈により用意されたものであればストロンチウム、ヨウ素、臭素の添加要素も元の量の約２分の１に薄まっている。これら添加要素の溶存量については必要があれば個別に増量調整が行われ、必要な濃度範囲に維持される。
【００８８】  ６ｐｓｕ塩分濃度の添加環境水中でふ化したゾエアは、１２ｐｓｕ塩分濃度の添加環境水に移される。この１２ｐｓｕ塩分濃度の添加環境水は汽水域の水質を再現している。ゾエアの成長ステージの同定を行い、多数に出現しているステージを監視しながら生育環境の適正化が図られる。水槽内に残留する生育不良のゾエアと生育したポストラ―バを合わせた尾数の約９０％をポストラ―バが占める段階に達して養殖期間を終了する。オニテナガエビの場合、概ね３２日経過したあたりが収量時期にあたる。
【００８９】  前述した飼育水の６ｐｓｕから１２ｐｓｕへの濃度変更は試薬の添加の有無には関係なく被養殖対象から見て濃縮である。この濃縮に際し、塩分の添加による場合には、ストロンチウムやヨウ素そして臭素といった添加要素すなわち成分の濃度は変化していない。
【００９０】  養殖完了の日より３日間かけて環境水の塩分濃度１２ｐｓｕを８ｐｓｕ、４ｐｓｕ、２ｐｓｕと徐々に希釈していき、最終的に親エビの生存レベル０ｐｓｕまで淡水化する。飼育される稚エビは親エビへと生育し、体長は伸び体重は増えて大型化していく。卵から始まって飼育水濃度は０ｐｓｕから６ｐｓｕ、１２ｐｓｕ、８ｐｓｕ、４ｐｓｕ、２ｐｓｕそして最後に０ｐｓｕに調整されたものが使用されている事から言うなら、飼育水の実用濃度領域の下限域は概ね２ｐｓｕということになる。
【００９１】  環境水の添加成分であるストロンチウムやヨウ素、そして臭素はカルシウム代謝の誘導に関与し、脱皮を促進させて変態の進行を早め、これが成長促進につながっていることが推定される。
ポストラ―バの外骨格はしっかりとしていて、成長の進行度にバラツキがないことから、エビの成長促進因子としてストロンチウム、ヨウ素、臭素が重要な役割を果たしていることが明らかである。
【００９２】  本発明の環境水によれば、表１、表２、表３に示すように、ポストラ―バの標準体長は好適環境水８．２ｍｍ、希釈海水８．６ｍｍ、ストロンチウム添加好適環境水８．８ｍｍ、ヨウ素添加好適環境水９．２ｍｍの順に大型化している。環境水による生育手法によれば、ゾエアの発育不良の生残数が１３９尾と０尾とであり、ポストラ―バは均一な体形と体重を備えている。
【００９３】  ストロンチウム、ヨウ素そして臭素の添加量は最終的には被養殖対象の体型、サイズ、光沢、見栄えにも反映される要素である。
商品の等級や評価基準には様々な要因（市場規模や購入者層の生活水準、食習慣）も関係するので、これら添加成分の使用量の特定にはこうした要因も考慮しての作業となる。
【００９４】  主成分であるカルシウム、カリウム、ナトリウムの相対的な比率、またはこれにマグネシウムを加えた各成分の配合濃度は養殖の対象物により適宜変更され必要に応じて修正管理される。
溶液には淡水を混ぜたり試薬または溶液を追加することでｐｓｕ値は希釈側に、そして濃縮側に増減するが、溶液の塩分濃度は２ｐｓｕ付近から天然海水の濃度以下となるようにして取り扱われる。
【００９５】  溶液に淡水を加え希釈して必要な飼育濃度に加工する希釈操作は養殖現場にて種苗の成長具合に合わせて実施されるが、種苗養殖に適応できる実用範囲の希釈濃度の下限域は概ね２ｐｓｕである。希釈に伴い、前述したストロンチウムおよび／またはヨウ素の溶存量は低下するので、補充して濃度範囲を保つようにされる。
【００９６】  ストロンチウムの試薬には、例えば、塩化ストロンチウムや炭酸ストロンチウム、あるいはホウ酸ストロンチウムを、ヨウ素にはヨウ化ナトリウムやヨウ化カリウム等のヨウ化化合物を、臭素については臭化化合物を使用することができる。
【００９７】  好適環境水は以下のような初期濃度で予めストレージタンクなどに貯蔵しておき、使用時点で薬剤投入により個々の成分濃度を高めたり淡水による全体希釈を速やかに行えるよう予め準備をしておけば現場での濃度対応が容易である。この初期濃度は６ｐｓｕや１２ｐｓｕのものの汎用性が比較的高い。
【００９８】  溶液を準備しておく際の成分構成は以下のようにして設定されている。具体例を列挙するなら、塩分濃度が２ｐｓｕ以上で天然海水中の濃度以下となる条件の下で、ナトリウム、カルシウム、カリウムを天然海水中の存在比に近似した比率で含有した溶液が挙げられる。
【００９９】  その他、塩分濃度が２ｐｓｕ以上で天然海水中の濃度以下となる条件の下で、ナトリウム、カルシウム、カリウムに加えてマグネシウムを天然海水中の存在比に近似した比率で含有した溶液、もしくは
【０１００】  カルシウムを０．１００２ｇ／Ｌ以上天然海水中の濃度以下、カリウムを０．０７０６５ｇ／Ｌ以上天然海水中の濃度以下、ナトリウムを溶液の塩分濃度が６ｐｓｕになる濃度から天然海水中の濃度以下の溶液を、そのままの濃度で、または希釈したり濃縮して用いられる。
【０１０１】  また、カルシウムを０．１００２ｇ／Ｌ以上天然海水中の濃度以下、カリウムを０．０７０６５ｇ／Ｌ以上天然海水中の濃度以下、マグネシウムを０．１２５２５ｇ／Ｌ以上天然海水中の濃度以下、ナトリウムを溶液の塩分濃度が６ｐｓｕになる濃度から天然海水中の濃度以下の成分組成からなる溶液を、そのままの濃度で、または希釈したり濃縮して用いられる。
【０１０２】  当然のことながら、前述した成分組成の下で仕立てた６ｐｓｕの溶液であるなら、これを１．２倍希釈すれば５ｐｓｕの飼育水ができあがる。
この５ｐｓｕの濃度環境下で、飼育水を淡水で１．２５倍希釈すれば４ｐｓｕの飼育液となり、これをさらに２倍希釈すれば２ｐｓｕの濃度溶液が作られる。希釈して使用した２ｐｓｕ飼育水と６ｐｓｕ濃度の飼育水を同量混ぜ合わせれば４ｐｓｕ濃度の溶液が得られる。濃度と容積の比率に応じて溶液濃度を上げたり下げたりする濃度変更が可能である。
【０１０３】  添加環境水の濃縮と希釈の両方向への濃度調整がこのように簡便に行えるので、淡水性や汽水性の甲殻類、また外洋性の甲殻類に対し、疑似的な生育環境を自在に正確に再現できることになる。
【０１０４】  溶液に淡水を加え希釈して必要な飼育濃度に調整する希釈操作は、例えば、循環系の途中位置に接続してある給水系を通じた補給水により行えるが、比較的規模の小さな養殖施設の場合には、その都度の淡水投入によるやり方に即応性がある。
【０１０５】  実施例では養殖の難しい希少品種であるオニテナガエビを選んだが、これを可能にしたのも、少ない種類の少量の成分と極く微量の添加成分を用いて飼育を行えるようにしたことによる。種苗の種類に合わせて溶液の希釈と濃縮の操作を養殖現場にて簡単に行えるので多くの品種に容易に対応ができ、淡水域そして汽水域から海水域までの生育環境を様々に変化させながらエビ、シャコからカニにいたる多種類の甲殻類を選択的に且つ自在に養殖管理することができる。
【０１０６】  ストロンチウム、ヨウ素、臭素の３種類の微量添加成分は、それぞれの成分を単独で使用したり、選択的に組み合わせた２種類の成分、あるいは全３種類の成分を合わせて使用される。添加成分の選択とその組合わせは品種に固有のものである。
【０１０７】  ストロンチウム、ヨウ素、臭素のいずれか１種類を選ぶ３つの選択肢、２種類の組合わせを選ぶ３つの選択肢、全３種類を選ぶ１選択肢の合計７選択肢の中で決められる。適合する選択肢の選定は種苗生育の進行具合を観察精査することで識別ができるので、種苗の生育具合に見合うように選択した成分種類と投入量を使用途中であっても変更することができる。
【０１０８】  したがって、本発明の実施形態によれば、
ナトリウム、カルシウム、カリウム、またはこれらとマグネシウムを水道水や雨水、河川水あるいは地下水に添加してなる飼育水にして、
飼育水の塩分濃度が２ｐｓｕ以上天然海水の濃度以下、好ましくは１２ｐｓｕ付近の濃度となるように、これらナトリウム、カルシウム、カリウム、またマグネシウムを天然海水中の存在比に近似した比率で含有しており、さらに
概ね１．８９ｐｐｍから７．８０ｐｐｍ以下の濃度のストロンチウムと、
概ね０．０１４ｐｐｍから０．０５８ｐｐｍ以下の濃度のヨウ素と、
概ね１６．２４ｐｐｍから６７ｐｐｍ以下の濃度の臭素のうちの、
少なくとも１種類か２種類または全３種類を含有してなるエビやカニ、シャコ等の甲殻類の種苗養殖に用いる飼育水が得られる。
【０１０９】  また、本発明の他の実施形態によれば、
ナトリウム、カルシウム、カリウム、またはこれらとマグネシウムを水道水や雨水、河川水あるいは地下水に添加してなる飼育水にして、
飼育水に含まれるカルシウムは０．１００２ｇ／Ｌ以上天然海水中の濃度以下、カリウムは０．０７０６５ｇ／Ｌ以上天然海水中の濃度以下、マグネシウムを加えるとするならば０．１２５２５ｇ／Ｌ以上天然海水中の濃度以下、残りのナトリウムは溶液の塩分濃度が６ｐｓｕになる濃度から天然海水中の濃度以下、好ましくは１２ｐｓｕ付近の濃度になる量であり、これに加えて
概ね１．８９ｐｐｍから７．８０ｐｐｍ以下の濃度のストロンチウムと、
概ね０．０１４ｐｐｍから０．０５８ｐｐｍ以下の濃度のヨウ素と、
概ね１６．２４ｐｐｍから６７ｐｐｍ以下の濃度の臭素のうちの、
少なくとも１種類か、または２種類を組合わせたもの、あるいは全３種類を含有してなる希釈または濃縮して使用可能なエビやカニ、シャコ等の甲殻類の種苗養殖に用いる飼育水が得られる。
【０１１０】  ストロンチウム、ヨウ素、臭素の微量添加成分成分の全３種類を用いた飼育事例について以下に説明する。
飼育種は明細書の冒頭で紹介したウシエビ（ブラックタイガー）である。このブラックタイガーのポストラーバ期の種苗または稚エビ期の種苗（以下、ポストラーバ稚エビという）の飼育に全３種類の微量成分を使用した。
【０１１１】  飼育水の添加環境水は２ｐｓｕから天然海水の濃度以下の溶液、または６ｐｓｕから天然海水の濃度以下の希釈または濃縮して使用可能な溶液である。飼育水には３種類の微量添加成分が混入されている。
【０１１２】  ３種類の微量添加成分は、好適環境水中にて概ね１．８９ｐｐｍの濃度から７．８０ｐｐｍ以下の濃度のストロンチウムと、概ねｐｐｍの０．０１４濃度から０．０５８ｐｐｍ以下の濃度のヨウ素と、概ね１６．２４ｐｐｍの濃度から６７ｐｐｍ以下の濃度の臭素である。
【０１１３】  この飼育水を用いた養殖による飼育成果は表４に示されている。使用した飼育水の塩分濃度は１２ｐｓｕであり、この塩分濃度領域で安定した収量が得られている。３種類の微量添加成分が用いられた。
【０１１４】
【表４】
2017060459.tif 000006
【０１１５】  ナトリウム、カルシウム、カリウム、マグネシウムを含有する１２ｐｓｕ好適環境水にストロンチウム、ヨウ素、臭素の微量添加成分を加えてなる飼育水を用い、ブラックタイガーのポストラーバ稚エビ養殖を行った。３種の微量添加成分は下限域の濃度のものと、上限域の濃度のものに分けて表示している。濃度下限域と濃度上限域のそれぞれに３つの試験区を設け、稚エビの生存率の平均値を求めている。
【０１１６】  稚エビは日齢１０日から１５日のものをランダムに６試験区の各々に３０匹ずつを収容し、全試験区一律に１２ｐｓｕ塩分濃度に揃えた好適環境水を用いて飼育した。この６試験区のうちの３試験区ずつの２つのグループを３種微量添加成分の下限域の濃度と上限域の濃度に分け、水槽容量、飼育手順、収容密度、飼育期間、給餌についてもすべて同一の条件下で実施した。飼育水の水質については閉鎖循環ろ過システムを通過させながらモニタリングし、飼育環境が常に一定に保たれるように監視した。
水質の管理は、水温２８〜３１℃、ＤＯ５．５ｍｇ／ｌ以上、ｐＨ７．００以上、総アンモニア１ｍｇ／ｌ以下、亜硝酸１ｍｇ／ｌ以下を基準としている。
【０１１７】  稚エビの飼育日数は約４０日、収穫時のエビの生存率は３種微量成分の濃度下限域のもので６４．５％、濃度上限域のもので７７．８％であった。
【０１１８】
【表５】
2017060459.tif 000007
【０１１９】  表５は、１２ｐｓｕの人口海水（海水の組成に近づけた成分組成を持つ飼育水）を使用しての養殖結果を示している。
この１２ｐｓｕ人口海水による飼育成果は、表４に示す３種微量成分を添加したものと比べて成果は同程度で、人口海水を使用したことによるメリットは認められない。
本発明の好適環境水に微量成分を添加してなる飼育水は、その効果について希釈天然海水や人口海水に比べてなんら遜色がなく、ｐｐｍ単位の添加成分量のため資材費用も極めて安価ですむ利点がある。
【０１２０】  参考までに、２５ｐｓｕ好適環境水とした場合の配合比の例として、例えば以下に示すようなものがある。
2017060459.tif 000008
【手続補正書】
【提出日】平成27年11月26日(2015.11.26)
【手続補正１】
【補正対象書類名】特許請求の範囲
【補正対象項目名】全文
【補正方法】変更
【補正の内容】
【特許請求の範囲】
【請求項１】
ナトリウム、カルシウム、カリウムを水道水や雨水、河川水あるいは地下水に添加してなる飼育水にして、
飼育水の塩分濃度が２ｐｓｕより天然海水の濃度以下になるよう、これらナトリウム、カルシウム、カリウムを天然海水中の存在比に近似した比率で含有しており、さらに
約１．８９ｐｐｍから７．８０ｐｐｍ以下の濃度のストロンチウムと、
約０．０１４ｐｐｍから０．０５８ｐｐｍ以下の濃度のヨウ素と、
約１６．２４ｐｐｍから６７ｐｐｍ以下の濃度の臭素のうちの、
少なくとも１種類または２種類、あるいは全３種類を含有してなるエビやカニ、シャコ等の甲殻類の種苗養殖に用いる飼育水。
【請求項２】
ナトリウム、カルシウム、カリウム、マグネシウムを水道水や雨水、河川水あるいは地下水に添加してなる飼育水にして、
飼育水の塩分濃度が２ｐｓｕより天然海水の濃度以下になるよう、これらナトリウム、カルシウム、カリウム、マグネシウムを天然海水中の存在比に近似した比率で含有しており、さらに
約１．８９ｐｐｍから７．８０ｐｐｍ以下の濃度のストロンチウムと、
約０．０１４ｐｐｍから０．０５８ｐｐｍ以下の濃度のヨウ素と、
約１６．２４ｐｐｍから６７ｐｐｍ以下の濃度の臭素のうちの、
少なくとも１種類または２種類、あるいは全３種類を含有してなるエビやカニ、シャコ等の甲殻類の種苗養殖に用いる飼育水。
【請求項３】
ナトリウム、カルシウム、カリウムを水道水や雨水、河川水あるいは地下水に添加してなる飼育水にして、
飼育水に含まれるカルシウムは約０．１００２ｇ／Ｌ以上天然海水中の濃度以下、カリウムは約０．０７０６５ｇ／Ｌ以上天然海水中の濃度以下、残りのナトリウムは溶液の塩分濃度が２ｐｓｕになる濃度から天然海水中の濃度以下になる量であり、これに加えて
約１．８９ｐｐｍから７．８０ｐｐｍ以下の濃度のストロンチウムと、
約０．０１４ｐｐｍから０．０５８ｐｐｍ以下の濃度のヨウ素と、
約１６．２４ｐｐｍから６７ｐｐｍ以下の濃度の臭素のうちの、
少なくとも１種類または２種類、あるいは全３種類を含有してなる希釈または濃縮して使用可能なエビやカニ、シャコ等の甲殻類の種苗養殖に用いる飼育水。
【請求項４】
ナトリウム、カルシウム、カリウム、マグネシウムを水道水や雨水、河川水あるいは地下水に添加してなる飼育水にして、
飼育水に含まれるカルシウムは約０．１００２ｇ／Ｌ以上天然海水中の濃度以下、カリウムは約０．０７０６５ｇ／Ｌ以上天然海水中の濃度以下、マグネシウムは約０．１２５２５ｇ／Ｌ以上天然海水中の濃度以下、ナトリウムは溶液の塩分濃度が２ｐｓｕになる濃度から天然海水中の濃度以下になる量であり、これに加えて
約１．８９ｐｐｍから７．８０ｐｐｍ以下の濃度のストロンチウムと、
約０．０１４ｐｐｍから０．０５８ｐｐｍ以下の濃度のヨウ素と、
約１６．２４ｐｐｍから６７ｐｐｍ以下の濃度の臭素のうちの、
少なくとも１種類または２種類、あるいは全３種類を含有してなる希釈または濃縮して使用可能なエビやカニ、シャコ等の甲殻類の種苗養殖に用いる飼育水。
【請求項５】
ナトリウム、カルシウム、カリウムを水道水や雨水、河川水あるいは地下水に添加してなる飼育水にして、
飼育水の塩分濃度が６ｐｓｕ以上天然海水の濃度以下となるように、これらナトリウム、カルシウム、カリウムを天然海水中の存在比に近似した比率で含有しており、さらに
約１．８９ｐｐｍから７．８０ｐｐｍ以下の濃度のストロンチウムと、
約０．０１４ｐｐｍから０．０５８ｐｐｍ以下の濃度のヨウ素と、
約１６．２４ｐｐｍから６７ｐｐｍ以下の濃度の臭素のうちの、
少なくとも１種類または２種類、あるいは全３種類を含有してなるクルマエビ、バナメイエビやウシエビ（ブラックタイガー）等のポストラーバ稚エビの養殖に用いる飼育水。
【請求項６】
ナトリウム、カルシウム、カリウム、マグネシウムを水道水や雨水、河川水あるいは地下水に添加してなる飼育水にして、
飼育水の塩分濃度が６ｐｓｕ以上天然海水の濃度以下となるように、これらナトリウム、カルシウム、カリウム、マグネシウムを天然海水中の存在比に近似した比率で含有しており、さらに
約１．８９ｐｐｍから７．８０ｐｐｍ以下の濃度のストロンチウムと、
約０．０１４ｐｐｍから０．０５８ｐｐｍ以下の濃度のヨウ素と、
約１６．２４ｐｐｍから６７ｐｐｍ以下の濃度の臭素のうちの、
少なくとも１種類または２種類、あるいは全３種類を含有してなるクルマエビ、バナメイエビやウシエビ（ブラックタイガー）等のポストラーバ稚エビの養殖に用いる飼育水。
【請求項７】
ナトリウム、カルシウム、カリウムを水道水や雨水、河川水あるいは地下水に添加してなる飼育水にして、
飼育水に含まれるカルシウムは約０．１００２ｇ／Ｌ以上天然海水中の濃度以下、カリウムは約０．０７０６５ｇ／Ｌ以上天然海水中の濃度以下、ナトリウムは溶液の塩分濃度が６ｐｓｕになる濃度から天然海水中の濃度以下になる量であり、これに加えて
約１．８９ｐｐｍから７．８０ｐｐｍ以下の濃度のストロンチウムと、
約０．０１４ｐｐｍから０．０５８ｐｐｍ以下の濃度のヨウ素と、
約１６．２４ｐｐｍから６７ｐｐｍ以下の濃度の臭素のうちの、
少なくとも１種類または２種類、あるいは全３種類を含有してなる希釈または濃縮して使用可能なクルマエビ、バナメイエビやウシエビ（ブラックタイガー）等のポストラーバ稚エビの養殖に用いる飼育水。
【請求項８】
ナトリウム、カルシウム、カリウム、マグネシウムを水道水や雨水、河川水あるいは地下水に添加してなる飼育水にして、
飼育水に含まれるカルシウムは約０．１００２ｇ／Ｌ以上天然海水中の濃度以下、カリウムは約０．０７０６５ｇ／Ｌ以上天然海水中の濃度以下、マグネシウムは約０．１２５２５ｇ／Ｌ以上天然海水中の濃度以下、ナトリウムは溶液の塩分濃度が６ｐｓｕになる濃度から天然海水中の濃度以下になる量であり、これに加えて
約１．８９ｐｐｍから７．８０ｐｐｍ以下の濃度のストロンチウムと、
約０．０１４ｐｐｍから０．０５８ｐｐｍ以下の濃度のヨウ素と、
約１６．２４ｐｐｍから６７ｐｐｍ以下の濃度の臭素のうちの、
少なくとも１種類または２種類、あるいは全３種類を含有してなる希釈または濃縮して使用可能なクルマエビ、バナメイエビやウシエビ（ブラックタイガー）等のポストラーバ稚エビの養殖に用いる飼育水。
【請求項９】
塩分濃度が２ｐｓｕ以上で天然海水中の濃度以下になるよう、ナトリウム、カルシウム、カリウムを天然海水中の存在比に近似した比率で淡水に混入し、これにストロンチウムと、ヨウ素と、臭素のうちの少なくとも１種類または２種類、あるいは全３種類を添加してなる飼育水を用い、
ストロンチウムの濃度は約１．８９ｐｐｍから７．８０ｐｐｍ以下、ヨウ素の濃度は約０．０１４ｐｐｍから０．０５８ｐｐｍ以下、臭素の濃度は約１６．２４ｐｐｍから６７ｐｐｍ以下に維持しながら、この溶液中でエビやカニ、シャコ等の甲殻類の種苗を飼育する養殖方法。
【請求項１０】
塩分濃度が２ｐｓｕ以上で天然海水中の濃度以下になるよう、ナトリウム、カルシウム、カリウム、マグネシウムを天然海水中の存在比に近似した比率で淡水に混入し、これにストロンチウムと、ヨウ素と、臭素のうちの少なくとも１種類または２種類、あるいは全３種類を添加してなる飼育水を用い、
ストロンチウムの濃度は約１．８９ｐｐｍから７．８０ｐｐｍ以下、ヨウ素の濃度は約０．０１４ｐｐｍから０．０５８ｐｐｍ以下、臭素の濃度は約１６．２４ｐｐｍから６７ｐｐｍ以下に維持しながら、この溶液中でエビやカニ、シャコ等の甲殻類の種苗を飼育する養殖方法。
【請求項１１】
水道水や雨水、河川水あるいは地下水等の淡水中に、
約０．１００２ｇ／Ｌ以上天然海水中の濃度以下のカルシウムと、約０．０７０６５ｇ／Ｌ以上天然海水中の濃度以下のカリウムと、溶液の塩分濃度が２ｐｓｕになる濃度から天然海水中の濃度以下になる量のナトリウムとを混入し、これにストロンチウムと、ヨウ素と、臭素のうちの少なくとも１種類または２種類、あるいは全３種類を添加して飼育水とし、
ストロンチウムの濃度は約１．８９ｐｐｍから７．８０ｐｐｍ以下、ヨウ素の濃度は約０．０１４ｐｐｍから０．０５８ｐｐｍ以下、臭素の濃度は約１６．２４ｐｐｍから６７ｐｐｍ以下に維持しながらエビやカニ、シャコ等の甲殻類の種苗を飼育する養殖方法。
【請求項１２】
水道水や雨水、河川水あるいは地下水等の淡水中に、
約０．１００２ｇ／Ｌ以上天然海水中の濃度以下のカルシウムと、約０．０７０６５ｇ／Ｌ以上天然海水中の濃度以下のカリウムと、約０．１２５２５ｇ／Ｌ以上天然海水中の濃度以下のマグネシウムと、溶液の塩分濃度が２ｐｓｕになる濃度から天然海水中の濃度以下になる量のナトリウムとを混入し、これにストロンチウムと、ヨウ素と、臭素のうちの少なくとも１種類または２種類、あるいは全３種類を添加して飼育水とし、
ストロンチウムの濃度は約１．８９ｐｐｍから７．８０ｐｐｍ以下、ヨウ素の濃度は約０．０１４ｐｐｍから０．０５８ｐｐｍ以下、臭素の濃度は約１６．２４ｐｐｍから６７ｐｐｍ以下に維持しながらエビやカニ、シャコ等の甲殻類の種苗を飼育する養殖方法。
【請求項１３】
塩分濃度が６ｐｓｕ以上天然海水の濃度以下となるように、ナトリウム、カルシウム、カリウムを天然海水中の存在比に近似した比率で淡水に混入し、これにストロンチウムと、ヨウ素と、臭素のうちの少なくとも１種類または２種類、あるいは全３種類を添加して飼育水とし、
ストロンチウムの濃度は約１．８９ｐｐｍから７．８０ｐｐｍ以下、ヨウ素の濃度は約０．０１４ｐｐｍから０．０５８ｐｐｍ以下、臭素の濃度は約１６．２４ｐｐｍから６７ｐｐｍ以下に維持しながら、この溶液中でクルマエビ、バナメイエビやウシエビ（ブラックタイガー）等のポストラーバ稚エビを飼育する養殖方法。
【請求項１４】
塩分濃度が６ｐｓｕ以上天然海水の濃度以下となるように、ナトリウム、カルシウム、カリウム、マグネシウムを天然海水中の存在比に近似した比率で淡水に混入し、これにストロンチウムと、ヨウ素と、臭素のうちの少なくとも１種類または２種類、あるいは全３種類を添加して飼育水とし、
ストロンチウムの濃度は約１．８９ｐｐｍから７．８０ｐｐｍ以下、ヨウ素の濃度は約０．０１４ｐｐｍから０．０５８ｐｐｍ以下、臭素の濃度は約１６．２４ｐｐｍから６７ｐｐｍ以下に維持しながら、この溶液中でクルマエビ、バナメイエビやウシエビ（ブラックタイガー）等のポストラーバ稚エビを飼育する養殖方法。
【請求項１５】
水道水や雨水、河川水あるいは地下水等の淡水中に、
約０．１００２ｇ／Ｌ以上天然海水中の濃度以下のカルシウムと、約０．０７０６５ｇ／Ｌ以上天然海水中の濃度以下のカリウムと、溶液の塩分濃度が６ｐｓｕになる濃度から天然海水中の濃度以下になる量のナトリウムとを混入し、これにストロンチウムと、ヨウ素と、臭素のうちの少なくとも１種類または２種類、あるいは全３種類を添加して飼育水とし、
ストロンチウムの濃度は約１．８９ｐｐｍから７．８０ｐｐｍ以下、ヨウ素の濃度は約０．０１４ｐｐｍから０．０５８ｐｐｍ以下、臭素の濃度は約１６．２４ｐｐｍから６７ｐｐｍ以下に維持しながら、この溶液中でクルマエビ、バナメイエビやウシエビ（ブラックタイガー）等のポストラーバ稚エビを飼育する養殖方法。
【請求項１６】
水道水や雨水、河川水あるいは地下水等の淡水中に、
約０．１００２ｇ／Ｌ以上天然海水中の濃度以下のカルシウムと、約０．０７０６５ｇ／Ｌ以上天然海水中の濃度以下のカリウムと、約０．１２５２５ｇ／Ｌ以上天然海水中の濃度以下のマグネシウムと、溶液の塩分濃度が６ｐｓｕになる濃度から天然海水中の濃度以下になる量のナトリウムとを混入し、これにストロンチウムと、ヨウ素と、臭素のうちの少なくとも１種類または２種類、あるいは全３種類を添加して飼育水とし、
ストロンチウムの濃度は約１．８９ｐｐｍから７．８０ｐｐｍ以下、ヨウ素の濃度は約０．０１４ｐｐｍから０．０５８ｐｐｍ以下、臭素の濃度は約１６．２４ｐｐｍから６７ｐｐｍ以下に維持しながら、この溶液中でクルマエビ、バナメイエビやウシエビ（ブラックタイガー）等のポストラーバ稚エビを飼育する養殖方法。
【手続補正書】
【提出日】平成28年4月28日(2016.4.28)
【手続補正１】
【補正対象書類名】特許請求の範囲
【補正対象項目名】全文
【補正方法】変更
【補正の内容】
【特許請求の範囲】
【請求項１】
ナトリウム、カルシウム、カリウムを水道水や雨水、河川水あるいは地下水に添加してなる飼育水にして、飼育水の塩分濃度が、低い値より途中の６ｐｓｕを経て１２ｐｓｕへと濃度を高めていくよう、これらナトリウム、カルシウム、カリウムを天然海水中の存在比に近似した比率で含有しており、さらに
約１．８９ｐｐｍから７．８０ｐｐｍ以下の濃度のストロンチウムと、
約０．０１４ｐｐｍから０．０５８ｐｐｍ以下の濃度のヨウ素と、
約１６．２４ｐｐｍから６７ｐｐｍ以下の濃度の臭素のうちの、
少なくとも１種類または２種類、あるいは全３種類を含有してなる、エビ等の甲殻類のふ化後の幼生がプランクトンタイプの各ステージを経てポストラーバへと生育していく過程に用いる飼育水。
【請求項２】
ナトリウム、カルシウム、カリウム、マグネシウムを水道水や雨水、河川水あるいは地下水に添加してなる飼育水にして、飼育水の塩分濃度が、低い値より途中の６ｐｓｕを経て１２ｐｓｕへと濃度を高めていくよう、これらナトリウム、カルシウム、カリウム、マグネシウムを天然海水中の存在比に近似した比率で含有しており、さらに
約１．８９ｐｐｍから７．８０ｐｐｍ以下の濃度のストロンチウムと、
約０．０１４ｐｐｍから０．０５８ｐｐｍ以下の濃度のヨウ素と、
約１６．２４ｐｐｍから６７ｐｐｍ以下の濃度の臭素のうちの、
少なくとも１種類または２種類、あるいは全３種類を含有してなる、エビ等の甲殻類のふ化後の幼生がプランクトンタイプの各ステージを経てポストラーバへと生育していく過程に用いる飼育水。
【請求項３】
ナトリウム、カルシウム、カリウムを水道水や雨水、河川水あるいは地下水に添加してなる飼育水にして、
飼育水に含まれるカルシウムは約０．１００２ｇ／Ｌ以上天然海水中の濃度以下、カリウムは約０．０７０６５ｇ／Ｌ以上天然海水中の濃度以下、ナトリウムは飼育水の塩分濃度が、低い値より途中の６ｐｓｕを経て１２ｐｓｕへと濃度を高めていく量であり、これに加えて
約１．８９ｐｐｍから７．８０ｐｐｍ以下の濃度のストロンチウムと、
約０．０１４ｐｐｍから０．０５８ｐｐｍ以下の濃度のヨウ素と、
約１６．２４ｐｐｍから６７ｐｐｍ以下の濃度の臭素のうちの、
少なくとも１種類または２種類、あるいは全３種類を含有してなる、エビ等の甲殻類のふ化後の幼生がプランクトンタイプの各ステージを経てポストラーバへと生育していく過程に用いる飼育水。
【請求項４】
ナトリウム、カルシウム、カリウム、マグネシウムを水道水や雨水、河川水あるいは地下水に添加してなる飼育水にして、
飼育水に含まれるカルシウムは約０．１００２ｇ／Ｌ以上天然海水中の濃度以下、カリウムは約０．０７０６５ｇ／Ｌ以上天然海水中の濃度以下、マグネシウムは約０．１２５２５ｇ／Ｌ以上天然海水中の濃度以下、ナトリウムは飼育水の塩分濃度が、低い値より途中の６ｐｓｕを経て１２ｐｓｕへと濃度を高めていく量であり、これに加えて
約１．８９ｐｐｍから７．８０ｐｐｍ以下の濃度のストロンチウムと、
約０．０１４ｐｐｍから０．０５８ｐｐｍ以下の濃度のヨウ素と、
約１６．２４ｐｐｍから６７ｐｐｍ以下の濃度の臭素のうちの、
少なくとも１種類または２種類、あるいは全３種類を含有してなる、エビ等の甲殻類のふ化後の幼生がプランクトンタイプの各ステージを経てポストラーバへと生育していく過程に用いる飼育水。
【請求項５】
ナトリウム、カルシウム、カリウムを水道水や雨水、河川水あるいは地下水に添加してなる飼育水にして、
ポストラーバの晒される塩分濃度が１２ｐｓｕに維持されるように、これらナトリウム、カルシウム、カリウムを天然海水中の存在比に近似した比率で含有しており、さらに
約１．８９ｐｐｍから７．８０ｐｐｍ以下の濃度のストロンチウムと、
約０．０１４ｐｐｍから０．０５８ｐｐｍ以下の濃度のヨウ素と、
約１６．２４ｐｐｍから６７ｐｐｍ以下の濃度の臭素のうちの、
少なくとも１種類または２種類、あるいは全３種類を含有してなるクルマエビ、バナメイエビやウシエビ（ブラックタイガー）等のポストラーバ稚エビの養殖に用いる飼育水。
【請求項６】
ナトリウム、カルシウム、カリウム、マグネシウムを水道水や雨水、河川水あるいは地下水に添加してなる飼育水にして、
ポストラーバの晒される塩分濃度が１２ｐｓｕに維持されるように、これらナトリウム、カルシウム、カリウム、マグネシウムを天然海水中の存在比に近似した比率で含有しており、さらに
約１．８９ｐｐｍから７．８０ｐｐｍ以下の濃度のストロンチウムと、
約０．０１４ｐｐｍから０．０５８ｐｐｍ以下の濃度のヨウ素と、
約１６．２４ｐｐｍから６７ｐｐｍ以下の濃度の臭素のうちの、
少なくとも１種類または２種類、あるいは全３種類を含有してなるクルマエビ、バナメイエビやウシエビ（ブラックタイガー）等のポストラーバ稚エビの養殖に用いる飼育水。
【請求項７】
ナトリウム、カルシウム、カリウムを水道水や雨水、河川水あるいは地下水に添加してなる飼育水にして、
飼育水に含まれるカルシウムは約０．１００２ｇ／Ｌ以上天然海水中の濃度以下、カリウムは約０．０７０６５ｇ／Ｌ以上天然海水中の濃度以下、ナトリウムはポストラーバの晒される飼育水の塩分濃度が１２ｐｓｕに維持される量であり、これに加えて
約１．８９ｐｐｍから７．８０ｐｐｍ以下の濃度のストロンチウムと、
約０．０１４ｐｐｍから０．０５８ｐｐｍ以下の濃度のヨウ素と、
約１６．２４ｐｐｍから６７ｐｐｍ以下の濃度の臭素のうちの、
少なくとも１種類または２種類、あるいは全３種類を含有してなるクルマエビ、バナメイエビやウシエビ（ブラックタイガー）等のポストラーバ稚エビの養殖に用いる飼育水。
【請求項８】
ナトリウム、カルシウム、カリウム、マグネシウムを水道水や雨水、河川水あるいは地下水に添加してなる飼育水にして、
飼育水に含まれるカルシウムは約０．１００２ｇ／Ｌ以上天然海水中の濃度以下、カリウムは約０．０７０６５ｇ／Ｌ以上天然海水中の濃度以下、マグネシウムは約０．１２５２５ｇ／Ｌ以上天然海水中の濃度以下、ナトリウムはポストラーバの晒される飼育水の塩分濃度が１２ｐｓｕに維持される量であり、これに加えて
約１．８９ｐｐｍから７．８０ｐｐｍ以下の濃度のストロンチウムと、
約０．０１４ｐｐｍから０．０５８ｐｐｍ以下の濃度のヨウ素と、
約１６．２４ｐｐｍから６７ｐｐｍ以下の濃度の臭素のうちの、
少なくとも１種類または２種類、あるいは全３種類を含有してなるクルマエビ、バナメイエビやウシエビ（ブラックタイガー）等のポストラーバ稚エビの養殖に用いる飼育水。
【請求項９】
飼育水の塩分濃度が、低い値より途中の６ｐｓｕを経て１２ｐｓｕへと濃度を高めていくよう、ナトリウム、カルシウム、カリウムを天然海水中の存在比に近似した比率で淡水に混入し、これにストロンチウムと、ヨウ素と、臭素のうちの少なくとも１種類または２種類、あるいは全３種類を添加してなる飼育水を用い、
ストロンチウムの濃度は約１．８９ｐｐｍから７．８０ｐｐｍ以下、ヨウ素の濃度は約０．０１４ｐｐｍから０．０５８ｐｐｍ以下、臭素の濃度は約１６．２４ｐｐｍから６７ｐｐｍ以下に維持しながら、この溶液中でエビ等の甲殻類のふ化後の幼生をプランクトンタイプの各ステージを経てポストラーバへと生育させていく養殖方法。
【請求項１０】
飼育水の塩分濃度が、低い値より途中の６ｐｓｕを経て１２ｐｓｕへと濃度を高めていくよう、ナトリウム、カルシウム、カリウム、マグネシウムを天然海水中の存在比に近似した比率で淡水に混入し、これにストロンチウムと、ヨウ素と、臭素のうちの少なくとも１種類または２種類、あるいは全３種類を添加してなる飼育水を用い、
ストロンチウムの濃度は約１．８９ｐｐｍから７．８０ｐｐｍ以下、ヨウ素の濃度は約０．０１４ｐｐｍから０．０５８ｐｐｍ以下、臭素の濃度は約１６．２４ｐｐｍから６７ｐｐｍ以下に維持しながら、この溶液中でエビ等の甲殻類のふ化後の幼生をプランクトンタイプの各ステージを経てポストラーバへと生育させていく養殖方法。
【請求項１１】
水道水や雨水、河川水あるいは地下水等の淡水中に、約０．１００２ｇ／Ｌ以上天然海水中の濃度以下のカルシウムと、約０．０７０６５ｇ／Ｌ以上天然海水中の濃度以下のカリウムと、飼育水の塩分濃度が、低い値より途中の６ｐｓｕを経て１２ｐｓｕへと濃度を高めていく量のナトリウムとを混入し、これにストロンチウムと、ヨウ素と、臭素のうちの少なくとも１種類または２種類、あるいは全３種類を添加して飼育水とし、
ストロンチウムの濃度は約１．８９ｐｐｍから７．８０ｐｐｍ以下、ヨウ素の濃度は約０．０１４ｐｐｍから０．０５８ｐｐｍ以下、臭素の濃度は約１６．２４ｐｐｍから６７ｐｐｍ以下に維持しながら、この溶液中でエビ等の甲殻類のふ化後の幼生をプランクトンタイプの各ステージを経てポストラーバへと生育させていく養殖方法。
【請求項１２】
水道水や雨水、河川水あるいは地下水等の淡水中に、約０．１００２ｇ／Ｌ以上天然海水中の濃度以下のカルシウムと、約０．０７０６５ｇ／Ｌ以上天然海水中の濃度以下のカリウムと、約０．１２５２５ｇ／Ｌ以上天然海水中の濃度以下のマグネシウムと、飼育水の塩分濃度が、低い値より途中の６ｐｓｕを経て１２ｐｓｕへと濃度を高めていく量のナトリウムとを混入し、これにストロンチウムと、ヨウ素と、臭素のうちの少なくとも１種類または２種類、あるいは全３種類を添加して飼育水とし、
ストロンチウムの濃度は約１．８９ｐｐｍから７．８０ｐｐｍ以下、ヨウ素の濃度は約０．０１４ｐｐｍから０．０５８ｐｐｍ以下、臭素の濃度は約１６．２４ｐｐｍから６７ｐｐｍ以下に維持しながら、この溶液中でエビ等の甲殻類のふ化後の幼生をプランクトンタイプの各ステージを経てポストラーバへと生育させていく養殖方法。
【請求項１３】
ポストラーバの晒される飼育水の塩分濃度が１２ｐｓｕに維持されるように、ナトリウム、カルシウム、カリウムを天然海水中の存在比に近似した比率で淡水に混入し、これにストロンチウムと、ヨウ素と、臭素のうちの少なくとも１種類または２種類、あるいは全３種類を添加して飼育水とし、
ストロンチウムの濃度は約１．８９ｐｐｍから７．８０ｐｐｍ以下、ヨウ素の濃度は約０．０１４ｐｐｍから０．０５８ｐｐｍ以下、臭素の濃度は約１６．２４ｐｐｍから６７ｐｐｍ以下に維持しながら、この溶液中でクルマエビ、バナメイエビやウシエビ（ブラックタイガー）等のポストラーバ稚エビを飼育する養殖方法。
【請求項１４】
ポストラーバの晒される塩分濃度が１２ｐｓｕに維持されるように、ナトリウム、カルシウム、カリウム、マグネシウムを天然海水中の存在比に近似した比率で淡水に混入し、これにストロンチウムと、ヨウ素と、臭素のうちの少なくとも１種類または２種類、あるいは全３種類を添加して飼育水とし、
ストロンチウムの濃度は約１．８９ｐｐｍから７．８０ｐｐｍ以下、ヨウ素の濃度は約０．０１４ｐｐｍから０．０５８ｐｐｍ以下、臭素の濃度は約１６．２４ｐｐｍから６７ｐｐｍ以下に維持しながら、この溶液中でクルマエビ、バナメイエビやウシエビ（ブラックタイガー）等のポストラーバ稚エビを飼育する養殖方法。
【請求項１５】
水道水や雨水、河川水あるいは地下水等の淡水中に、約０．１００２ｇ／Ｌ以上天然海水中の濃度以下のカルシウムと、約０．０７０６５ｇ／Ｌ以上天然海水中の濃度以下のカリウムと、ポストラーバの晒される飼育水の塩分濃度が１２ｐｓｕに維持される量のナトリウムとを混入し、これにストロンチウムと、ヨウ素と、臭素のうちの少なくとも１種類または２種類、あるいは全３種類を添加して飼育水とし、
ストロンチウムの濃度は約１．８９ｐｐｍから７．８０ｐｐｍ以下、ヨウ素の濃度は約０．０１４ｐｐｍから０．０５８ｐｐｍ以下、臭素の濃度は約１６．２４ｐｐｍから６７ｐｐｍ以下に維持しながら、この溶液中でクルマエビ、バナメイエビやウシエビ（ブラックタイガー）等のポストラーバ稚エビを飼育する養殖方法。
【請求項１６】
水道水や雨水、河川水あるいは地下水等の淡水中に、約０．１００２ｇ／Ｌ以上天然海水中の濃度以下のカルシウムと、約０．０７０６５ｇ／Ｌ以上天然海水中の濃度以下のカリウムと、約０．１２５２５ｇ／Ｌ以上天然海水中の濃度以下のマグネシウムと、ポストラーバの晒される飼育水の塩分濃度が１２ｐｓｕに維持される量のナトリウムとを混入し、これにストロンチウムと、ヨウ素と、臭素のうちの少なくとも１種類または２種類、あるいは全３種類を添加して飼育水とし、
ストロンチウムの濃度は約１．８９ｐｐｍから７．８０ｐｐｍ以下、ヨウ素の濃度は約０．０１４ｐｐｍから０．０５８ｐｐｍ以下、臭素の濃度は約１６．２４ｐｐｍから６７ｐｐｍ以下に維持しながら、この溶液中でクルマエビ、バナメイエビやウシエビ（ブラックタイガー）等のポストラーバ稚エビを飼育する養殖方法。
【手続補正２】
【補正対象書類名】明細書
【補正対象項目名】０１１８
【補正方法】変更
【補正の内容】
【０１１８】
【表５】
2017060459.tif 000009
【手続補正書】
【提出日】平成28年8月9日(2016.8.9)
【手続補正１】
【補正対象書類名】特許請求の範囲
【補正対象項目名】全文
【補正方法】変更
【補正の内容】
【特許請求の範囲】
【請求項１】
ナトリウム、カルシウム、カリウムを水道水や雨水、河川水あるいは地下水に添加してなる飼育水にして、
ポストラーバの晒される塩分濃度が１２ｐｓｕに維持されるように、これらナトリウム、カルシウム、カリウムを天然海水中の存在比に近似した比率で含有しており、さらに
約１．８９ｐｐｍから７．８０ｐｐｍ以下の濃度のストロンチウムと、
約０．０１４ｐｐｍから０．０５８ｐｐｍ以下の濃度のヨウ素と、
約１６．２４ｐｐｍから６７ｐｐｍ以下の濃度の臭素のうちの、
少なくとも１種類または２種類、あるいは全３種類を含有してなるクルマエビ、バナメイエビやウシエビ（ブラックタイガー）等のポストラーバ稚エビの養殖に用いる飼育水。
【請求項２】
ナトリウム、カルシウム、カリウム、マグネシウムを水道水や雨水、河川水あるいは地下水に添加してなる飼育水にして、
ポストラーバの晒される塩分濃度が１２ｐｓｕに維持されるように、これらナトリウム、カルシウム、カリウム、マグネシウムを天然海水中の存在比に近似した比率で含有しており、さらに
約１．８９ｐｐｍから７．８０ｐｐｍ以下の濃度のストロンチウムと、
約０．０１４ｐｐｍから０．０５８ｐｐｍ以下の濃度のヨウ素と、
約１６．２４ｐｐｍから６７ｐｐｍ以下の濃度の臭素のうちの、
少なくとも１種類または２種類、あるいは全３種類を含有してなるクルマエビ、バナメイエビやウシエビ（ブラックタイガー）等のポストラーバ稚エビの養殖に用いる飼育水。
【請求項３】
ナトリウム、カルシウム、カリウムを水道水や雨水、河川水あるいは地下水に添加してなる飼育水にして、
飼育水に含まれるカルシウムは約０．１００２ｇ／Ｌ以上天然海水中の濃度以下、カリウムは約０．０７０６５ｇ／Ｌ以上天然海水中の濃度以下、ナトリウムはポストラーバの晒される飼育水の塩分濃度が１２ｐｓｕに維持される量であり、これに加えて
約１．８９ｐｐｍから７．８０ｐｐｍ以下の濃度のストロンチウムと、
約０．０１４ｐｐｍから０．０５８ｐｐｍ以下の濃度のヨウ素と、
約１６．２４ｐｐｍから６７ｐｐｍ以下の濃度の臭素のうちの、
少なくとも１種類または２種類、あるいは全３種類を含有してなるクルマエビ、バナメイエビやウシエビ（ブラックタイガー）等のポストラーバ稚エビの養殖に用いる飼育水。
【請求項４】
ナトリウム、カルシウム、カリウム、マグネシウムを水道水や雨水、河川水あるいは地下水に添加してなる飼育水にして、
飼育水に含まれるカルシウムは約０．１００２ｇ／Ｌ以上天然海水中の濃度以下、カリウムは約０．０７０６５ｇ／Ｌ以上天然海水中の濃度以下、マグネシウムは約０．１２５２５ｇ／Ｌ以上天然海水中の濃度以下、ナトリウムはポストラーバの晒される飼育水の塩分濃度が１２ｐｓｕに維持される量であり、これに加えて
約１．８９ｐｐｍから７．８０ｐｐｍ以下の濃度のストロンチウムと、
約０．０１４ｐｐｍから０．０５８ｐｐｍ以下の濃度のヨウ素と、
約１６．２４ｐｐｍから６７ｐｐｍ以下の濃度の臭素のうちの、
少なくとも１種類または２種類、あるいは全３種類を含有してなるクルマエビ、バナメイエビやウシエビ（ブラックタイガー）等のポストラーバ稚エビの養殖に用いる飼育水。
【請求項５】
飼育水の塩分濃度が、低い値より途中の６ｐｓｕを経て１２ｐｓｕへと濃度を高めていくよう、ナトリウム、カルシウム、カリウムを天然海水中の存在比に近似した比率で淡水に混入し、これにストロンチウムと、ヨウ素と、臭素のうちの少なくとも１種類または２種類、あるいは全３種類を添加してなる飼育水を用い、
ストロンチウムの濃度は約１．８９ｐｐｍから７．８０ｐｐｍ以下、ヨウ素の濃度は約０．０１４ｐｐｍから０．０５８ｐｐｍ以下、臭素の濃度は約１６．２４ｐｐｍから６７ｐｐｍ以下に維持しながら、この溶液中でエビ等の甲殻類のふ化後の幼生をプランクトンタイプの各ステージを経てポストラーバへと生育させていく養殖方法。
【請求項６】
飼育水の塩分濃度が、低い値より途中の６ｐｓｕを経て１２ｐｓｕへと濃度を高めていくよう、ナトリウム、カルシウム、カリウム、マグネシウムを天然海水中の存在比に近似した比率で淡水に混入し、これにストロンチウムと、ヨウ素と、臭素のうちの少なくとも１種類または２種類、あるいは全３種類を添加してなる飼育水を用い、
ストロンチウムの濃度は約１．８９ｐｐｍから７．８０ｐｐｍ以下、ヨウ素の濃度は約０．０１４ｐｐｍから０．０５８ｐｐｍ以下、臭素の濃度は約１６．２４ｐｐｍから６７ｐｐｍ以下に維持しながら、この溶液中でエビ等の甲殻類のふ化後の幼生をプランクトンタイプの各ステージを経てポストラーバへと生育させていく養殖方法。
【請求項７】
水道水や雨水、河川水あるいは地下水等の淡水中に、約０．１００２ｇ／Ｌ以上天然海水中の濃度以下のカルシウムと、約０．０７０６５ｇ／Ｌ以上天然海水中の濃度以下のカリウムと、飼育水の塩分濃度が、低い値より途中の６ｐｓｕを経て１２ｐｓｕへと濃度を高めていく量のナトリウムとを混入し、これにストロンチウムと、ヨウ素と、臭素のうちの少なくとも１種類または２種類、あるいは全３種類を添加して飼育水とし、
ストロンチウムの濃度は約１．８９ｐｐｍから７．８０ｐｐｍ以下、ヨウ素の濃度は約０．０１４ｐｐｍから０．０５８ｐｐｍ以下、臭素の濃度は約１６．２４ｐｐｍから６７ｐｐｍ以下に維持しながら、この溶液中でエビ等の甲殻類のふ化後の幼生をプランクトンタイプの各ステージを経てポストラーバへと生育させていく養殖方法。
【請求項８】
水道水や雨水、河川水あるいは地下水等の淡水中に、約０．１００２ｇ／Ｌ以上天然海水中の濃度以下のカルシウムと、約０．０７０６５ｇ／Ｌ以上天然海水中の濃度以下のカリウムと、約０．１２５２５ｇ／Ｌ以上天然海水中の濃度以下のマグネシウムと、飼育水の塩分濃度が、低い値より途中の６ｐｓｕを経て１２ｐｓｕへと濃度を高めていく量のナトリウムとを混入し、これにストロンチウムと、ヨウ素と、臭素のうちの少なくとも１種類または２種類、あるいは全３種類を添加して飼育水とし、
ストロンチウムの濃度は約１．８９ｐｐｍから７．８０ｐｐｍ以下、ヨウ素の濃度は約０．０１４ｐｐｍから０．０５８ｐｐｍ以下、臭素の濃度は約１６．２４ｐｐｍから６７ｐｐｍ以下に維持しながら、この溶液中でエビ等の甲殻類のふ化後の幼生をプランクトンタイプの各ステージを経てポストラーバへと生育させていく養殖方法。
【請求項９】
ポストラーバの晒される飼育水の塩分濃度が１２ｐｓｕに維持されるように、ナトリウム、カルシウム、カリウムを天然海水中の存在比に近似した比率で淡水に混入し、これにストロンチウムと、ヨウ素と、臭素のうちの少なくとも１種類または２種類、あるいは全３種類を添加して飼育水とし、
ストロンチウムの濃度は約１．８９ｐｐｍから７．８０ｐｐｍ以下、ヨウ素の濃度は約０．０１４ｐｐｍから０．０５８ｐｐｍ以下、臭素の濃度は約１６．２４ｐｐｍから６７ｐｐｍ以下に維持しながら、この溶液中でクルマエビ、バナメイエビやウシエビ（ブラックタイガー）等のポストラーバ稚エビを飼育する養殖方法。
【請求項１０】
ポストラーバの晒される塩分濃度が１２ｐｓｕに維持されるように、ナトリウム、カルシウム、カリウム、マグネシウムを天然海水中の存在比に近似した比率で淡水に混入し、これにストロンチウムと、ヨウ素と、臭素のうちの少なくとも１種類または２種類、あるいは全３種類を添加して飼育水とし、
ストロンチウムの濃度は約１．８９ｐｐｍから７．８０ｐｐｍ以下、ヨウ素の濃度は約０．０１４ｐｐｍから０．０５８ｐｐｍ以下、臭素の濃度は約１６．２４ｐｐｍから６７ｐｐｍ以下に維持しながら、この溶液中でクルマエビ、バナメイエビやウシエビ（ブラックタイガー）等のポストラーバ稚エビを飼育する養殖方法。
【請求項１１】
水道水や雨水、河川水あるいは地下水等の淡水中に、約０．１００２ｇ／Ｌ以上天然海水中の濃度以下のカルシウムと、約０．０７０６５ｇ／Ｌ以上天然海水中の濃度以下のカリウムと、ポストラーバの晒される飼育水の塩分濃度が１２ｐｓｕに維持される量のナトリウムとを混入し、これにストロンチウムと、ヨウ素と、臭素のうちの少なくとも１種類または２種類、あるいは全３種類を添加して飼育水とし、
ストロンチウムの濃度は約１．８９ｐｐｍから７．８０ｐｐｍ以下、ヨウ素の濃度は約０．０１４ｐｐｍから０．０５８ｐｐｍ以下、臭素の濃度は約１６．２４ｐｐｍから６７ｐｐｍ以下に維持しながら、この溶液中でクルマエビ、バナメイエビやウシエビ（ブラックタイガー）等のポストラーバ稚エビを飼育する養殖方法。
【請求項１２】
水道水や雨水、河川水あるいは地下水等の淡水中に、約０．１００２ｇ／Ｌ以上天然海水中の濃度以下のカルシウムと、約０．０７０６５ｇ／Ｌ以上天然海水中の濃度以下のカリウムと、約０．１２５２５ｇ／Ｌ以上天然海水中の濃度以下のマグネシウムと、ポストラーバの晒される飼育水の塩分濃度が１２ｐｓｕに維持される量のナトリウムとを混入し、これにストロンチウムと、ヨウ素と、臭素のうちの少なくとも１種類または２種類、あるいは全３種類を添加して飼育水とし、
ストロンチウムの濃度は約１．８９ｐｐｍから７．８０ｐｐｍ以下、ヨウ素の濃度は約０．０１４ｐｐｍから０．０５８ｐｐｍ以下、臭素の濃度は約１６．２４ｐｐｍから６７ｐｐｍ以下に維持しながら、この溶液中でクルマエビ、バナメイエビやウシエビ（ブラックタイガー）等のポストラーバ稚エビを飼育する養殖方法。